(57)【要約】【課題】４極端子などの特殊な端子を用いることなく、簡単な信号処理により、第１および第２チャンネル間の音漏れの問題を軽減した音楽コンテンツ格納送出方法を提供する。【解決手段】第１チャンネルオーディオ信号に、第１音響再生ユニットへの第２チャンネルオーディオ信号の音漏れ比率に応じて低減した第２チャンネルオーディオ信号を加算すると共に、第２チャンネルオーディオ信号に、第２音響再生ユニットへの第１チャンネルオーディオ信号の音漏れ比率に応じて低減した第１チャンネルオーディオ信号を加算して、音漏れ消去信号加算音楽コンテンツデータを生成する。生成された音漏れ消去信号加算音楽コンテンツデータを音楽コンテンツ格納部に格納する。格納工程で格納された音漏れ消去信号加算音楽コンテンツデータを音楽コンテンツ格納部から読み出して、３極端子２０１を備えるオーディオ信号再生装置に供給する。【選択図】図１
2007235670.tif 000002
【特許請求の範囲】
【請求項１】
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子であって、前記第１チャンネルオーディオ信号を音響再生する第１音響再生ユニットと、前記第２チャンネルオーディオ信号を音響再生する第２音響再生ユニットとが接続され、前記３極端子に対応する端子を備える外部端子が接続される３極端子を備えるオーディオ信号再生装置と接続する接続手段と、
前記第１チャンネルオーディオ信号および前記第２チャンネルオーディオ信号を含む音楽コンテンツデータを格納するための音楽コンテンツ格納部と、
前記第１チャンネルオーディオ信号に、前記第１音響再生ユニットへの前記第２チャンネルオーディオ信号の音漏れ比率に応じて低減した前記第２チャンネルオーディオ信号を加算すると共に、前記第２チャンネルオーディオ信号に、前記第２音響再生ユニットへの前記第１チャンネルオーディオ信号の音漏れ比率に応じて低減した前記第１チャンネルオーディオ信号を加算して、音漏れ消去信号加算音楽コンテンツデータを生成する音漏れ消去信号加算手段と、
前記音漏れ消去信号加算手段からの前記音漏れ消去信号加算音楽コンテンツデータを前記音楽コンテンツ格納部に格納する格納手段と、
前記格納手段により格納された前記音漏れ消去信号加算音楽コンテンツデータを、前記音楽コンテンツ格納部から読み出して前記接続手段により接続された前記オーディオ信号再生装置に供給する送出手段と、
を備える音楽コンテンツ格納送出装置。
【請求項２】
請求項１に記載の音楽コンテンツ格納送出装置において、
前記接続手段により接続された装置が前記オーディオ信号再生装置であるか否かを判別する判別手段を備え、
前記格納手段は、同一の音楽コンテンツについて、前記音漏れ消去信号加算音楽コンテンツデータに加えて、前記音漏れ消去信号加算手段を経由しない音楽コンテンツデータを、前記音楽コンテンツ格納部に格納し、
前記判別手段で、前記接続手段により接続された装置が前記オーディオ信号再生装置であると判別したときには、前記送出手段は、前記音楽コンテンツ格納部から前記音漏れ消去信号加算音楽コンテンツデータを読み出して、前記オーディオ信号再生装置に供給する
ことを特徴とする音楽コンテンツ格納送出装置。
【請求項３】
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子であって、前記第１チャンネルオーディオ信号を音響再生する第１音響再生ユニットと、前記第２チャンネルオーディオ信号を音響再生する第２音響再生ユニットとが接続され、前記３極端子に対応する端子を備える外部端子が接続される３極端子を備えるオーディオ信号再生装置と接続する接続手段と、
第１チャンネルオーディオ信号および第２チャンネルオーディオ信号を含む音楽コンテンツデータを格納するための音楽コンテンツ格納部と、
前記音楽コンテンツ格納部から読み出された音楽コンテンツについて、前記第１チャンネルオーディオ信号に、前記第１音響再生ユニットへの前記第２チャンネルオーディオ信号の音漏れ比率に応じて低減した前記第２チャンネルオーディオ信号を加算すると共に、前記第２チャンネルオーディオ信号に、前記第２音響再生ユニットへの前記第１チャンネルオーディオ信号の音漏れ比率に応じて低減した前記第１チャンネルオーディオ信号を加算して、音漏れ消去信号加算音楽コンテンツデータを生成する音漏れ消去信号加算手段と、
前記音漏れ消去信号加算手段からの前記音漏れ消去信号加算音楽コンテンツデータを、前記接続手段により接続された前記オーディオ信号再生装置に供給する送出手段と、
を備える音楽コンテンツ格納送出装置。
【請求項４】
請求項３に記載の音楽コンテンツ格納送出装置において、
前記接続手段により接続された装置が前記オーディオ信号再生装置であるか否かを判別する判別手段を備え、
前記送出手段は、前記判別手段で前記接続手段に接続された装置が前記オーディオ信号再生装置であると判別したときに、前記音漏れ消去信号加算部からの前記音漏れ消去信号加算音楽コンテンツデータを前記オーディオ信号再生装置に供給する
ことを特徴とする音楽コンテンツ格納送出装置。
【請求項５】
請求項１〜請求項４のいずれかに記載の音楽コンテンツ格納送出装置において、
前記音漏れ消去信号加算手段は、
デジタル信号である前記第２チャンネルオーディオ信号に、前記第１音響再生ユニットへの前記第２チャンネルオーディオ信号の音漏れ比率に応じた第１の低減比率を乗算した結果を、デジタル信号である前記第１チャンネルオーディオ信号に加算する手段と、
デジタル信号である前記第１チャンネルオーディオ信号に、前記第２音響再生ユニットへの前記第１チャンネルオーディオ信号の音漏れ比率に応じた第２の低減比率を乗算した結果を、デジタル信号である前記第２チャンネルオーディオ信号に加算する手段と、
を備えることを特徴とする音楽コンテンツ格納送出装置。
【請求項６】
請求項５に記載の音楽コンテンツ格納送出装置において、
ユーザの操作入力を受けて、前記第１の低減比率および／または前記第２の低減比率を変更する手段を備える
ことを特徴とする音楽コンテンツ格納送出装置。
【請求項７】
請求項５に記載の音楽コンテンツ格納送出装置において、
前記音漏れ消去信号加算手段は、
デジタル信号である前記第２チャンネルオーディオ信号に前記第１の低減比率を乗算する前または乗算した後に、前記デジタル信号である第２チャンネルオーディオ信号を遅延する第１の遅延手段と、デジタル信号である前記第１チャンネルオーディオ信号に前記第２の低減比率を乗算する前または乗算した後に、前記デジタル信号である第１チャンネルオーディオ信号を遅延する第２の遅延手段とを備える
ことを特徴とする音楽コンテンツ格納送出装置。
【請求項８】
請求項７に記載の音楽コンテンツ格納送出装置において、
前記第１の遅延手段および前記第２の遅延手段は可変遅延手段とされると共に、ユーザの操作入力を受けて、前記第１の遅延手段および／または前記第２の遅延手段の遅延量が可変制御される
ことを特徴とする音楽コンテンツ格納送出装置。
【請求項９】
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子であって、前記第１チャンネルオーディオ信号を音響再生する第１音響再生ユニットと、前記第２チャンネルオーディオ信号を音響再生する第２音響再生ユニットとが接続され、前記３極端子に対応する端子を備える外部端子が接続される３極端子を備えるオーディオ信号再生装置に送出する、前記第１チャンネルオーディオ信号および前記第２チャンネルオーディオ信号を含む音楽コンテンツデータを格納し、送出する音楽コンテンツ格納送出方法において、
前記第１チャンネルオーディオ信号に、前記第１音響再生ユニットへの前記第２チャンネルオーディオ信号の音漏れ比率に応じて低減した前記第２チャンネルオーディオ信号を加算すると共に、前記第２チャンネルオーディオ信号に、前記第２音響再生ユニットへの前記第１チャンネルオーディオ信号の音漏れ比率に応じて低減した前記第１チャンネルオーディオ信号を加算して、音漏れ消去信号加算音楽コンテンツデータを生成する生成工程と、
前記生成工程で生成された前記音漏れ消去信号加算音楽コンテンツデータを音楽コンテンツ格納部に格納する格納工程と、
前記格納工程で格納された前記音漏れ消去信号加算音楽コンテンツデータを前記音楽コンテンツ格納部から読み出して、前記オーディオ信号再生装置に供給する送出工程と、
を備える音楽コンテンツ送出方法。
【請求項１０】
請求項９に記載の音楽コンテンツ格納送出方法において、
前記格納工程においては、同一の音楽コンテンツについて、前記音漏れ消去信号加算音楽コンテンツデータに加えて、前記音漏れ消去信号加算工程を経由しない音楽コンテンツデータを、前記音楽コンテンツ格納部に格納するようにすると共に、
音楽コンテンツデータを送出する装置が前記オーディオ信号再生装置であるか否かを判別する判別工程を備え、
前記判別工程で前記送出する装置が前記オーディオ信号再生装置であると判別したときには、前記送出工程では、前記音楽コンテンツ格納部から前記音漏れ消去信号加算音楽コンテンツデータを読み出して、前記オーディオ信号再生装置に供給する
ことを特徴とする音楽コンテンツ格納送出方法。
【請求項１１】
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子であって、前記第１チャンネルオーディオ信号を音響再生する第１音響再生ユニットと、前記第２チャンネルオーディオ信号を音響再生する第２音響再生ユニットとが接続され、前記３極端子に対応する端子を備える外部端子が接続される３極端子を備えるオーディオ信号再生装置に送出する、前記第１チャンネルオーディオ信号および前記第２チャンネルオーディオ信号を含む音楽コンテンツデータを格納し、送出する音楽コンテンツ格納送出方法において、
第１チャンネルオーディオ信号および第２チャンネルオーディオ信号を含む音楽コンテンツデータを音楽コンテンツ格納部に格納する格納工程と、
前記音楽コンテンツ格納部から読み出された音楽コンテンツデータについて、前記第１チャンネルオーディオ信号に、前記第１音響再生ユニットへの前記第２チャンネルオーディオ信号の音漏れ比率に応じて低減した前記第２チャンネルオーディオ信号を加算すると共に、前記第２チャンネルオーディオ信号に、前記第２音響再生ユニットへの前記第１チャンネルオーディオ信号の音漏れ比率に応じて低減した前記第１チャンネルオーディオ信号を加算して、音漏れ消去信号加算音楽コンテンツデータを生成する生成工程と、
前記生成工程で生成された前記音漏れ消去信号加算音楽コンテンツデータを、前記オーディオ信号再生装置に供給する送出工程と、
を備える音楽コンテンツ送出方法。
【請求項１２】
請求項１１に記載の音楽コンテンツ格納送出方法において、
音楽コンテンツデータを送出する装置が前記オーディオ信号再生装置であるか否かを判別する判別工程を備え、
前記判別工程で前記送出する装置が前記オーディオ信号再生装置であると判別したときに、前記生成工程を行って、前記音漏れ消去信号加算音楽コンテンツデータを前記オーディオ信号再生装置に供給する
ことを特徴とする音楽コンテンツ格納送出方法。
【請求項１３】
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子であって、前記第１チャンネルオーディオ信号を音響再生する第１音響再生ユニットと、前記第２チャンネルオーディオ信号を音響再生する第２音響再生ユニットとが接続され、前記３極端子に対応する端子を備える外部端子が接続される３極端子と、
前記第１チャンネルオーディオ信号および前記第２チャンネルオーディオ信号を含む音楽コンテンツデータを格納するための音楽コンテンツ格納部と、
外部から送出されてくる前記音楽コンテンツデータを取り込む取り込み手段と、
前記取り込み手段により取り込まれた前記音楽コンテンツデータについて、前記第１チャンネルオーディオ信号に、前記第１音響再生ユニットへの前記第２チャンネルオーディオ信号の音漏れ比率に応じて低減した前記第２チャンネルオーディオ信号を加算すると共に、前記第２チャンネルオーディオ信号に、前記第２音響再生ユニットへの前記第１チャンネルオーディオ信号の音漏れ比率に応じて低減した前記第１チャンネルオーディオ信号を加算して、音漏れ消去信号加算音楽コンテンツデータを生成する音漏れ消去信号加算手段と、
前記音漏れ消去信号加算手段からの前記音漏れ消去信号加算音楽コンテンツデータを、前記音楽コンテンツ格納部に格納する格納手段と、
前記音楽コンテンツ格納部から読み出された前記音漏れ消去信号加算音楽コンテンツデータから再生された前記第１チャンネルオーディオ信号および前記第２チャンネルオーディオ信号を、前記３極端子の前記第１チャンネルオーディオ信号の出力端子および前記第２チャンネルオーディオ信号の出力端子に供給するようにする出力手段と、
を備えることを特徴とするオーディオ信号再生装置。
【請求項１４】
請求項１３に記載のオーディオ信号再生装置において、
前記格納手段は、同一の音楽コンテンツについて、前記音漏れ消去信号加算音楽コンテンツデータに加えて、前記音漏れ消去信号加算手段を経由しない音楽コンテンツデータを、前記音楽コンテンツ格納部に格納すると共に、
前記音漏れ消去信号加算音楽コンテンツデータと、前記音漏れ消去信号加算手段を経由しない音楽コンテンツデータとのいずれかを選択する選択操作手段を設け、
前記選択操作手段で、前記音漏れ消去信号加算音楽コンテンツデータが選択されたときに、前記出力手段は、前記音楽コンテンツ格納部から前記音漏れ消去信号加算音楽コンテンツデータを読み出して、前記３極端子から出力するオーディオ信号とする
ことを特徴とするオーディオ信号再生装置。
【請求項１５】
請求項１３または請求項１４に記載のオーディオ信号再生装置において、
前記第１チャンネルオーディオ信号に加算する前記第２チャンネルオーディオ信号の低減量および前記第２チャンネルオーディオ信号に加算する前記第１チャンネルオーディオ信号低減量を、ユーザの操作入力に応じて可変制御する手段を備える
ことを特徴とするオーディオ信号再生装置。
【請求項１６】
請求項１３または請求項１４に記載のオーディオ信号再生装置において、
前記音漏れ消去信号加算手段は、
前記第１チャンネルオーディオ信号に加算する前記第２チャンネルオーディオ信号を、前記低減する前または後で遅延させると共に、
前記第２チャンネルオーディオ信号に加算する前記第１チャンネルオーディオ信号を、前記低減する前または後で遅延させる手段を備える
ことを特徴とするオーディオ信号再生装置。
【請求項１７】
請求項１６に記載のオーディオ信号再生装置において、
前記第１チャンネルオーディオ信号に加算する前記第２チャンネルオーディオ信号の遅延量および／または前記第２チャンネルオーディオ信号に加算する前記第１チャンネルオーディオ信号の遅延量を、ユーザの操作入力に応じて可変制御する手段を備える
ことを特徴とするオーディオ信号再生装置。
【請求項１８】
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子に、前記３極端子に対応する外部端子が接続されたときに、前記外部端子に接続されている前記第１チャンネルオーディオ信号を音響再生する第１音響再生ユニットへの前記第２チャンネルオーディオ信号の音漏れ、および／または、前記第２チャンネルオーディオ信号を音響再生する第２音響再生ユニットへの前記第１チャンネルオーディオ信号の音漏れを、前記３極端子を備えるオーディオ信号再生装置における信号処理手段により低減する方法であって、
前記信号処理手段は、
外部から送出されてくる前記音楽コンテンツデータを取り込む取り込み工程と、
前記取り込み工程で取り込まれた前記音楽コンテンツデータについて、前記第１チャンネルオーディオ信号に、前記第１音響再生ユニットへの前記第２チャンネルオーディオ信号の音漏れ比率に応じて低減した前記第２チャンネルオーディオ信号を加算すると共に、前記第２チャンネルオーディオ信号に、前記第２音響再生ユニットへの前記第１チャンネルオーディオ信号の音漏れ比率に応じて低減した前記第１チャンネルオーディオ信号を加算して、音漏れ消去信号加算音楽コンテンツデータを生成する音漏れ消去信号加算工程と、
前記音漏れ消去信号加算工程で生成された前記音漏れ消去信号加算音楽コンテンツデータを、前記音楽コンテンツ格納部に格納する格納工程と、
前記音楽コンテンツ格納部から読み出した前記音漏れ消去信号加算音楽コンテンツデータから再生した前記第１チャンネルオーディオ信号および前記第２チャンネルオーディオ信号を、前記３極端子の前記第１チャンネルオーディオ信号の出力端子および前記第２チャンネルオーディオ信号の出力端子に供給するようにする出力工程と、
を実行することを特徴とする音漏れ低減方法。
【発明の詳細な説明】
【技術分野】
【０００１】
この発明は、例えば左右２チャンネルステレオオーディオ信号を、例えばヘッドフォンに出力して音響再生させるようにする音楽プレーヤなどのオーディオ信号再生装置において、特に、チャンネル間の音漏れを低減するようにする発明に関する。
【背景技術】
【０００２】
音響再生手段としてヘッドフォンを用い、左右２チャンネルのステレオオーディオ信号を音響再生するようにする携帯型の音楽プレーヤが広く普及している。この場合に、音楽プレーヤと、ヘッドフォンとの接続は、３極端子を用いたジャックとプラグとを用いて行うのが一般的である。ここで、３極端子とは、左右２チャンネルステレオ信号の場合、左チャンネルオーディオ信号用の端子と、右チャンネルオーディオ信号用の端子と、左チャンネルおよび右チャンネルオーディオ信号に共通の接地端子（グラウンド）との３端子からなるものである。
【０００３】
図１９は、音楽プレーヤ２００と、これに接続されるヘッドフォン１００とを示すものである。ヘッドフォン１００は、左チャンネル用のヘッドフォンユニット１０Ｌと、右チャンネル用のヘッドフォンユニット１０Ｒと、３極端子からなる接続プラグ１０１と、左チャンネル用のヘッドフォンユニット１０Ｌおよび右チャンネル用のヘッドフォンユニット１０Ｒと接続プラグ１０１との間を接続するケーブル１０２とからなる。
【０００４】
ケーブル１０２は、左右チャンネル用ケーブルの連結部１０３を備え、この連結部１０３で、左右チャンネルのグラウンド側が共通に接続され、その共通接続点が接続プラグ１０１の共通接地端子ＣＯＭに接続されている。
【０００５】
接続プラグ１０１は、左チャンネル信号端子部Ｌ＋と、右チャンネル信号端子部Ｒ＋と、共通接地端子部ＣＯＭとを備えている３極端子である。
【０００６】
音楽プレーヤ２００には、ヘッドフォン１００の接続プラグ１０１に対応して、３極端子からなるヘッドフォンジャック２０１が設けられている。ヘッドフォン１００の接続プラグ１０１を、音楽プレーヤ２００のヘッドフォンジャック２０１に差し込むことで、音楽プレーヤ２００から出力される２チャンネルステレオオーディオ信号が、ヘッドフォン１００の左右チャンネル用のヘッドフォンユニット１０Ｌおよび１０Ｒで音響再生される。
【０００７】
しかし、上述のような３極端子を用いる場合には、左右チャンネル間における音漏れの問題がある。この音漏れは、３極端子では左チャンネルおよび右チャンネルオーディオ信号に共通の接地端子を用いていることと、ヘッドフォン１００のケーブル１０２などに含まれる抵抗成分や音楽プレーヤ２００のアンプ特性との組み合わせによって生じるものであることが知られている。この音漏れの問題について、さらに説明をする。
【０００８】
図２０は、ヘッドフォン１００の接続プラグ１０１が、音楽プレーヤ２００のヘッドフォンジャック２０１に差し込まれた状態において、音漏れが生じることを説明するための等価的な接続回路図である。この図２０では、左チャンネルオーディオ信号が右チャンネルに漏れる場合を説明するために、左チャンネルオーディオ信号が大振幅信号であり、かつ、右チャンネルは全くの無音であるとする。また、音楽プレーヤ２００のアンプ部の利得は１と仮定する。
【０００９】
図２０に示すように、左チャンネル信号源１Ｌからの左チャンネルの大振幅オーディオ信号（アナログオーディオ信号とする）は、利得が１のアンプ２Ｌおよび抵抗３Ｌを通じて、ヘッドフォンジャック２０１の左チャンネルオーディオ信号出力端子４Ｌに供給される。
【００１０】
また、右チャンネル信号源１Ｒからの右チャンネルの信号（アナログオーディオ信号とする）は、利得が１のアンプ２Ｒおよび抵抗３Ｒを通じて、ヘッドフォンジャック２０１の右チャンネルオーディオ信号出力端子４Ｒに供給される。
【００１１】
図２０で、音楽プレーヤ２００において接地されている端子４Ｃは、ヘッドフォンジャック２０１の共通接地端子である。ヘッドフォンジャック２０１は、左チャンネルオーディオ信号出力端子４Ｌと、右チャンネルオーディオ信号出力端子４Ｒと、共通接地端子４Ｃとを備える３極端子の構成となっている。
【００１２】
ヘッドフォンジャック２０１に、ヘッドフォン１００の接続プラグ１０１が挿入されて接続されている状態では、図２０に示すように、左チャンネルオーディオ信号出力端子４Ｌと共通接地端子４Ｃとの間には、左チャンネル用のヘッドフォンユニット１０Ｌが接続され、また、右チャンネルオーディオ信号出力端子４Ｒと共通接地端子４Ｃとの間には、右チャンネル用のヘッドフォンユニット１０Ｒが接続される状態となる。
【００１３】
そして、図２０に示すように、左チャンネルオーディオ信号出力端子４Ｌと左チャンネル用のヘッドフォンユニット１０Ｌとの間には、ケーブル１０２の線路抵抗１１Ｌが、右チャンネルオーディオ信号出力端子４Ｒと右チャンネル用のヘッドフォンユニット１０Ｒとの間には、ケーブル１０２の線路抵抗１１Ｒが、それぞれ存在し、また、左右チャンネルのグラウンド側の共通接続点１３Ｃと、左チャンネル用のヘッドフォンユニット１０Ｌおよび右チャンネル用のヘッドフォンユニット１０Ｒとの間には、それぞれ線路抵抗１２Ｌおよび１２Ｒがそれぞれ存在し、共通接続点１３Ｃと、共通接地端子４Ｃとの間には共通線路抵抗１４Ｃが存在する状態となる。
【００１４】
以上のような接続回路構成において、左チャンネルオーディオ信号出力端子４Ｌから出力された左チャンネルの大振幅オーディオ信号は、左チャンネル用ヘッドフォンユニット１０Ｌを通過した後、共通接地端子４Ｃに接続されている共通接続点１３Ｃに達し、共通接地端子４Ｃに流れる。
【００１５】
しかし、共通接続点１３Ｃは、右チャンネル用ヘッドフォンユニット１０Ｒにも接続されており、共通線路抵抗１４などの存在も相俟って、左チャンネルの大振幅オーディオ信号は、右チャンネル用ヘッドフォンユニット１０Ｒにも漏れて供給されてしまう状態になる。この結果、図２０では、右チャンネルのオーディオ信号は存在しない（ゼロである）はずであるのに、右チャンネル用ヘッドフォンユニット１０Ｒからは、当該漏れて供給された左チャンネルのオーディオ信号による音波が発生してしまうことになる。
【００１６】
以上の説明は、左チャンネルオーディオ信号が大振幅オーディオ信号で、右チャンネルは全くの無音とした場合であって、右チャンネル用ヘッドフォンユニット１０Ｒへの左チャンネルオーディオ信号の音漏れについて説明したものであるが、右チャンネルオーディオ信号が大振幅オーディオ信号で、左チャンネルは全くの無音とした場合には、上述と同様にして、左チャンネル用ヘッドフォンユニット１０Ｌへの右チャンネルオーディオ信号の音漏れが生じる。
【００１７】
ここで、右チャンネル用ヘッドフォンユニット１０Ｒに、漏れて供給される信号の大きさは、左チャンネルオーディオ信号の大きさＡＬに、線路抵抗やヘッドフォン１００の特性などに応じた係数１／ＭＬ（ただしＭＬ＞１）を乗じた大きさＡＬ／ＭＬとなる。また、左チャンネル用ヘッドフォンユニット１０Ｌに、漏れて供給される信号の大きさは、右チャンネルオーディオ信号の大きさＡＲに、線路抵抗やヘッドフォン１００の特性などに応じた係数１／ＭＲ（ただしＭＲ＞１）を乗じた大きさＡＲ／ＭＲとなる。この明細書では、これらの係数１／ＭＬおよび１／ＭＲを、音漏れ比率と称する。
【００１８】
なお、右チャンネルへの左チャンネルオーディオ信号の音漏れ比率１／ＭＬと、左チャンネルへの右チャンネルオーディオ信号の音漏れ率１／ＭＲとは、必ずしも同一ではない。
【００１９】
従来、この左右チャンネル間の音漏れの問題を解消するために、図２１および図２２に示すように、４極端子を用いる手法が提供されている（後述の非特許文献１参照）。すなわち、図２１に示すように、この例の場合のヘッドフォン１００´は、３極端子からなる接続プラグ１０１に代えて、４極端子からなる接続プラグ１０４を備える。ヘッドフォン１００´のその他の構成は、図１９を用いて説明したヘッドフォン１００と同様である。
【００２０】
この場合、図２１に示すように、接続プラグ１０４は、左チャンネル信号端子部Ｌ＋と、右チャンネル信号端子部Ｒ＋と、左チャンネル用接地端子部Ｌ−と、右チャンネル用接地端子部Ｒ−とを備えて、４極端子の構成とされている。
【００２１】
図２２は、ヘッドフォン１００´の４極端子の接続プラグ１０４が、音楽プレーヤ２００のヘッドフォンジャックに差し込まれた状態における等価的な接続回路図である。この図２２においても、前述した図２０と同様に、左チャンネルオーディオ信号が右チャンネルに漏れる場合を説明するために、左チャンネルオーディオ信号が大振幅信号であり、かつ、右チャンネルは全くの無音であるとする。また、音楽プレーヤ２００のアンプ部の利得は１と仮定する。
【００２２】
図２２に示すように、この４極端子からなる接続プラグ１０４を用いる場合においては、接続プラグ１０４の左チャンネル用接地端子部Ｌ−と、ヘッドフォンジャック２０１の接地端子との接続点として、音楽プレーヤ２００の左チャンネル用接地端子５Ｌが構成され、また、接続プラグ１０４の右チャンネル用接地端子部Ｒ−と、ヘッドフォンジャック２０１の接地端子との接続点として、音楽プレーヤ２００のＲチャンネル用接地端子５Ｒが構成される。
【００２３】
したがって、この４極端子からなる接続プラグ１０４を用いる場合においては、前述の図２０を用いて説明した３極端子の場合のような、共通接続点１３Ｃや共通線路抵抗１４Ｃは存在せず、左チャンネルの大振幅オーディオ信号は、左チャンネル用ヘッドフォンユニット１０Ｌを通過した後、接地端子５Ｌに供給されるようになり、左チャンネルから右チャンネルへの音漏れの問題が回避される。
【００２４】
この４極端子からなる接続プラグ１０４を用いる場合においては、右チャンネルから左チャンネルへの音漏れの問題も、同様にして、回避される。
【００２５】
上記の非特許文献は、次の通りである。
【非特許文献１】ＳＨＡＲＰ  “より原音に忠実な高音質を実現する「モバイル１ビットデジタルアンプ−Ｈ・Ａ−」を搭載”、［online］、［平成１８年１月３０日検索］、インターネット＜ＵＲＬ：http://www.sharp.co.jp/products/mdds700/text/1bit.html＞
【発明の開示】
【発明が解決しようとする課題】
【００２６】
上述のように、４極端子からなる接続プラグを用いる方法によれば、左右チャンネル間の音漏れの問題を回避することができる。しかしながら、４極端子からなる接続プラグは一般的なものではなく、特殊なものであり、ユーザに、当該特殊なヘッドフォンの購入を強いることになり好ましくない。
【００２７】
なお、上述の説明は、左右２チャンネルステレオオーディオ信号の場合についてであったが、例えば左チャンネルを第１チャンネルに置き換えると共に、右チャンネルを第２チャンネルに置き換えた場合、これら第１チャンネルオーディオ信号および第２チャンネルオーディオ信号として、左右２チャンネルステレオ信号以外のオーディオ信号を音響再生する場合を考えた場合にも同様の問題が生じるものである。
【００２８】
この発明は、上述のような特殊な４極端子を用いることなく、簡単な信号処理により、上述の第１および第２チャンネル間の音漏れの問題を軽減できる装置および方法を提供することを目的とする。
【課題を解決するための手段】
【００２９】
上記の課題を解決するために、請求項１の発明は、
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子であって、前記第１チャンネルオーディオ信号を音響再生する第１音響再生ユニットと、前記第２チャンネルオーディオ信号を音響再生する第２音響再生ユニットとが接続され、前記３極端子に対応する端子を備える外部端子が接続される３極端子を備えるオーディオ信号再生装置と接続する接続手段と、
前記第１チャンネルオーディオ信号および前記第２チャンネルオーディオ信号を含む音楽コンテンツデータを格納するための音楽コンテンツ格納部と、
前記第１チャンネルオーディオ信号に、前記第１音響再生ユニットへの前記第２チャンネルオーディオ信号の音漏れ比率に応じて低減した前記第２チャンネルオーディオ信号を加算すると共に、前記第２チャンネルオーディオ信号に、前記第２音響再生ユニットへの前記第１チャンネルオーディオ信号の音漏れ比率に応じて低減した前記第１チャンネルオーディオ信号を加算して、音漏れ消去信号加算音楽コンテンツデータを生成する音漏れ消去信号加算手段と、
前記音漏れ消去信号加算手段からの前記音漏れ消去信号加算音楽コンテンツデータを前記音楽コンテンツ格納部に格納する格納手段と、
前記格納手段により格納された前記音漏れ消去信号加算音楽コンテンツデータを、前記音楽コンテンツ格納部から読み出して前記接続手段により接続された前記オーディオ信号再生装置に供給する送出手段と、
を備える音楽コンテンツ格納送出装置を提供する。
【００３０】
また、請求項３の発明は、
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子であって、前記第１チャンネルオーディオ信号を音響再生する第１音響再生ユニットと、前記第２チャンネルオーディオ信号を音響再生する第２音響再生ユニットとが接続され、前記３極端子に対応する端子を備える外部端子が接続される３極端子を備えるオーディオ信号再生装置と接続する接続手段と、
第１チャンネルオーディオ信号および第２チャンネルオーディオ信号を含む音楽コンテンツデータを格納するための音楽コンテンツ格納部と、
前記音楽コンテンツ格納部から読み出された音楽コンテンツについて、前記第１チャンネルオーディオ信号に、前記第１音響再生ユニットへの前記第２チャンネルオーディオ信号の音漏れ比率に応じて低減した前記第２チャンネルオーディオ信号を加算すると共に、前記第２チャンネルオーディオ信号に、前記第２音響再生ユニットへの前記第１チャンネルオーディオ信号の音漏れ比率に応じて低減した前記第１チャンネルオーディオ信号を加算して、音漏れ消去信号加算音楽コンテンツデータを生成する音漏れ消去信号加算手段と、
前記音漏れ消去信号加算手段からの前記音漏れ消去信号加算音楽コンテンツデータを、前記接続手段により接続された前記オーディオ信号再生装置に供給する送出手段と、
を備える音楽コンテンツ格納送出装置を提供する。
【００３１】
上述の構成の請求項１または請求項３の発明によれば、音楽コンテンツ格納送出装置からオーディオ信号再生装置に提供される音楽コンテンツデータにおいては、第１音響再生ユニットに第２チャンネルオーディオ信号側から到来する音漏れ成分に対応する第２チャンネルオーディオ信号成分が、予め、第１チャンネルオーディオ信号に加算され、同様に、第２音響再生ユニットに第１チャンネルオーディオ信号側から到来する音漏れ成分に対応する第１チャンネルオーディオ信号成分が、予め、第２チャンネルオーディオ信号に加算されている。
【００３２】
このため、オーディオ信号再生装置における再生時には、第１音響再生ユニットでは、第１チャンネルオーディオ信号に加算された第２チャンネルオーディオ信号成分と、第２チャンネルオーディオ信号側から到来する音漏れ成分とが互いに打ち消し合って、音漏れ成分はキャンセルされる。
【００３３】
同様に、第２音響再生ユニットでは、第２チャンネルオーディオ信号に加算された第１チャンネルオーディオ信号成分と、第１チャンネルオーディオ信号側から到来する音漏れ成分とが互いに打ち消し合って、音漏れ成分はキャンセルされる。
【発明の効果】
【００３４】
この発明によれば、前述したような特殊な４極端子を用いることなく、音楽コンテンツデータに対して信号処理を加えることにより、第１および第２チャンネル間の音漏れの問題を軽減できる。
【００３５】
特に、請求項１〜請求項１２の発明によれば、オーディオ信号再生装置については、全く構成を変更することなく、第１および第２チャンネル間の音漏れの問題を軽減できる。
【発明を実施するための最良の形態】
【００３６】
この発明による音楽コンテンツ格納送出装置および方法の実施形態について、まず、説明する。
【００３７】
［音楽コンテンツ格納送出装置および方法の第１の実施形態］
図１は、この発明による音楽コンテンツ格納送出装置および方法の第１の実施形態を説明するためのシステム構成およびその主要部の概要を示すブロック図である。なお、以下の各実施形態では、左右２チャンネルのステレオオーディオ信号を再生する場合において、左右チャンネル間における音漏れを軽減するようにする例としてそれぞれ説明する。
【００３８】
この第１の実施形態では、音楽コンテンツ格納送出装置の例としてのパーソナルコンピュータ３００から、オーディオ信号再生装置の例としての、いわゆるヘッドフォン・ステレオと呼ばれる携帯型の音楽プレーヤ２００に、音楽コンテンツデータが送出され、音楽プレーヤ２００において、受け取った音楽コンテンツデータを格納して再生することができるようにされている。
【００３９】
そして、この第１の実施形態では、パーソナルコンピュータ３００から音楽プレーヤ２００に送出される音楽コンテンツデータに、ヘッドフォン１００における左右チャンネル間の音漏れが軽減されるようにする処理がなされている。
【００４０】
この第１の実施形態においては、音楽プレーヤ２００は、３極端子で構成されるヘッドフォンジャック２０１を備え、このヘッドフォンジャック２０１に、前述の図１９に示したようなヘッドフォン１００の、３極端子で構成される接続プラグ１０１が挿入されるように構成されている。
【００４１】
そして、この例の音楽プレーヤ２００は、例えばハードディスク装置や、半導体メモリあるいは光ディスクドライブなどからなり、音楽コンテンツのデータを格納する音楽コンテンツ格納部２０２を備えると共に、例えばマイクロコンピュータを用いて構成される制御部２０３を備える。
【００４２】
さらに、この実施形態では、音楽プレーヤ２００は、パーソナルコンピュータ３００に接続して、このパーソナルコンピュータ３００から送出されてくる音楽コンテンツのオーディオデータを取り込むようにするための接続手段として、この例では、ＵＳＢ（Ｕｎｉｖｅｒｓａｌ  Ｓｅｒｉａｌ  Ｂｕｓ）端子２０４を備えている。
【００４３】
一方、パーソナルコンピュータ３００は、例えばハードディスク装置からなる音楽コンテンツ格納部３０１と、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）からなる制御部の一部の機能として構成される送出制御部３０２と、音楽プレーヤ２００などと接続するためのＵＳＢ端子３０３と、音漏れ消去信号加算部３０４とを備えている。
【００４４】
そして、この実施形態のパーソナルコンピュータ３００は、例えばインターネットなどのネットワークを介して取得した音楽コンテンツのデータや、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）から読み込んだ音楽コンテンツのデータなどの入力音楽データを、当該音楽コンテンツの識別情報やタイトル名などの付随情報と共に、音楽コンテンツ格納部３０１に格納するが、この際に、一つの音楽コンテンツについての音楽データとしては、音漏れ消去信号加算部３０４で、後で詳述するような音漏れ消去信号加算処理をした音楽データＳａと、音漏れ消去信号加算処理をしない音楽データＳｏとの対を格納するようにする。
【００４５】
この場合、音漏れ消去信号加算処理をした音楽データＳａと、音漏れ消去信号加算処理をしない音楽データＳｏとの対は、一つの音楽コンテンツの識別情報により対応付けられて格納されると共に、この例では、音漏れ消去信号加算処理をした音楽データＳａと、音漏れ消去信号加算処理をしない音楽データＳｏとのそれぞれには、音漏れ消去信号加算処理をしたか否かのフラグＦＧが付加情報として付加されて格納される。
【００４６】
そして、パーソナルコンピュータ３００のＵＳＢ端子３０３に、音楽プレーヤ２００のＵＳＢ端子２０４が接続されると、パーソナルコンピュータ３００は、ＵＳＢインタフェースの機能に基づいて、ＵＳＢ端子３０３に３極端子を備える音楽プレーヤ２００が接続されたことを認識する。
【００４７】
そして、ＵＳＢ端子３０３に音楽プレーヤ２００が接続されている状態において、ユーザは、パーソナルコンピュータ３００において、図示を省略した操作部を通じて、音楽プレーヤ２００に送出して格納させたい音楽コンテンツを選択指定し、当該選択指定した音楽コンテンツの送出指示をする。
【００４８】
すると、パーソナルコンピュータ３００の送出制御部３０２は、ＵＳＢ端子３０３に接続されている音楽プレーヤ２００が３極端子を備えているものであることを認識していることに基づいて、送出すべき音楽データは、音漏れ消去信号加算処理をしたものであると認識する。
【００４９】
そして、送出制御部３０２は、音楽コンテンツ格納部３０１の格納データから、ユーザにより選択指定された音楽コンテンツを検索し、さらに、当該音楽コンテンツの音楽データについての前記フラグＦＧを参照し、選択指定された音楽コンテンツの音漏れ消去信号加算処理をした音楽データＳａを読み出す。そして、送出制御部３０２は、読み出した音漏れ消去信号加算処理をした音楽データＳａを、ＵＳＢ端子３０３を通じて、音楽プレーヤ２００に送出するようにする。このとき、パーソナルコンピュータ３００の送出制御部３０２は、送出する音楽コンテンツの識別情報やタイトル名などの付随情報を併せて、音楽プレーヤ２００に送出するようにする。
【００５０】
音楽プレーヤ２００の制御部２０３は、ＵＳＢ端子２０４を通じてパーソナルコンピュータ３００からの音楽コンテンツの音楽データおよび付随情報を受け取ると、それを音楽コンテンツ格納部２０２に格納する。
【００５１】
そして、音楽プレーヤ２００のユーザが、図示を省略した操作部を通じて、音楽コンテンツを選択して再生指示をすると、制御部２０３は、その再生指示された音楽コンテンツの音楽データを読み出し、ヘッドフォン１００に供給して音響再生させるようにする。このとき、ヘッドフォン１００に供給されるオーディオ信号は、左右チャンネル間の音漏れ消去処理が施されたものであるので、後で詳述するようにして、左右チャンネル間の音漏れが軽減された音響再生がなされる。
【００５２】
次に、パーソナルコンピュータ３００および音楽プレーヤ２００の構成および音漏れ消去信号加算処理、さらには、音漏れ軽減動作について、より詳細に説明する。
【００５３】
［音楽コンテンツ送出格納装置の実施形態としてのパーソナルコンピュータ３００の構成例］
図２は、この第１の実施形態におけるパーソナルコンピュータ３００の詳細構成例を示すブロック図である。
【００５４】
システムバス３１２に対してＣＰＵ３１１、ＲＯＭ３１３、ＲＡＭ３１４が接続されて制御部が構成される。送出制御部３０２は、この制御部の一部の機能とされる。
【００５５】
システムバス３１２に対しては、キーボードやマウスなどの操作入力部３１９がインタフェース３１５を介して接続されると共に、ＵＳＢ端子３２０，３２１が、ＵＳＢインタフェース３１６，３１７をそれぞれ介して接続されている。
【００５６】
また、ＣＤやＤＶＤなどのディスク４０１に記録されているデータを読み込むためのディスクドライブ３１８がシステムバス３１２に接続されている。また、インターネットなどのネットワーク４０２を通じて音楽コンテンツのデータを取り込むために、ネットワーク４０２に接続するための通信インタフェース３２４が、システムバス３１２に接続されている。
【００５７】
また、システムバス３１２に対してハードディスク装置（図ではＨＤＤと表記）３２２が接続されている。この実施形態では、このハードディスク装置３２２の一部の記録領域が音楽コンテンツ格納部３０１とされる。この実施形態では、ハードディスク装置３２２の音楽コンテンツ格納部３０１には、音楽コンテンツの音楽データは、所定の圧縮方式でデータ圧縮されて記録される。なお、この実施形態では、音楽プレーヤ２００の音楽コンテンツ格納部２０２に格納する音楽データも、この所定の圧縮方式でデータ圧縮されているものとする。
【００５８】
そして、システムバス３１２には、さらに、格納音楽データエンコード・デコード部３２３と、音漏れ消去信号加算部３０４が接続される。
【００５９】
格納音楽データエンコード・デコード部３２３は、入力音楽データを、ハードディスク装置３２２の音楽コンテンツ格納部３０１に格納するデータにエンコードする処理と、音楽コンテンツ格納部３０１から読み出したデータを、元にデコードする処理とを行う。
【００６０】
この実施形態では、入力音楽データを音漏れ消去信号加算処理をせずにハードディスク装置３２２に記録すると共に、入力音楽データを音漏れ消去信号加算処理をしてハードディスク装置３２２に記録するようにする。
【００６１】
このため、前者の場合（入力音楽データを音漏れ消去信号加算処理をせずにハードディスク装置３２２に記録する場合）には、格納音楽データエンコード・デコード部３２３は、ＵＳＢインタフェース３１６、３１７、ディスクドライブ３１８、または、通信インタフェース３２４のいずれかを通じて取り込んだ音楽コンテンツの音楽データを、前記所定の圧縮方式でデータ圧縮すると共に、圧縮したデータを、ハードディスク装置３２２に記録する形式にエンコードする。そして、エンコードされた音楽データは、ハードディスク装置３２２の音楽コンテンツ格納部３０１に格納される。
【００６２】
また、後者の場合（入力音楽データを音漏れ消去信号加算処理をしてハードディスク装置３２２に記録する場合）において、ＵＳＢインタフェース３１６、３１７、ディスクドライブ３１８、または、通信インタフェース３２４のいずれかを通じて取り込んだ音楽コンテンツの音楽データが、データ圧縮されたものであるときには、格納音楽データエンコード・デコード部３２３は、圧縮されている音楽データを伸張してデコードし、２チャンネルデジタルオーディオ信号（ＰＣＭオーディオ信号）に戻し、音漏れ消去信号加算部３０４に供給するようにする。
【００６３】
音漏れ消去信号加算部３０４は、格納音楽データエンコード・デコード部３２３からの２チャンネルデジタルオーディオ信号について、後述する音漏れ消去信号加算処理を行った後、その処理結果のデータを格納音楽データエンコード・デコード部３２２に供給するようにする。
【００６４】
格納音楽データエンコード・デコード部３２２は、受け取った音漏れ消去信号加算処理がなされた２チャンネルデジタルオーディオ信号を、前記所定の圧縮方式でデータ圧縮すると共に、圧縮したデータを、ハードディスク装置３２２に記録する形式にエンコードして、ハードディスク装置３２２に転送するようにする。そして、エンコードされた音楽データが、ハードディスク装置３２２の音楽コンテンツ格納部３０１に格納される。
【００６５】
前述したように、ＵＳＢ端子３２０または３２１に音楽プレーヤ２００などのオーディオ機器が接続されている状態において、ユーザにより当該オーディオ機器に送出する音楽コンテンツが選択指定され、送出指示がなされたときには、ＣＰＵ３１１は、ＵＳＢ端子に接続されたオーディオ機器を判別して、その判別結果に応じて、音漏れ消去信号加算処理を行った音楽データまたは音漏れ消去信号加算処理をしていない音楽データのいずれかを選択して音楽コンテンツ格納部３０１から読み出す。
【００６６】
そして、ＣＰＵ３１１は、読み出した音楽データを格納音楽データエンコード・デコード部３２３に供給して、ハードディスク装置に記録する形式を解除した状態の圧縮音楽データを得、その圧縮音楽データを、音楽プレーヤ２００が接続されているＵＳＢ端子３２０または３２１を通じて前記音楽プレーヤ２００に供給する。音楽プレーヤ２００では、受け取った圧縮音楽データを、一緒に送られてくる付随情報と共に、音楽コンテンツ格納部２０２に格納する。
【００６７】
［音漏れ消去信号加算部３０４の構成例］
この第１の実施形態のパーソナルコンピュータ３００における音漏れ消去信号加算部３０４の詳細構成例を図３に示す。
【００６８】
すなわち、この例の音漏れ消去信号加算部３０４においては、格納音楽データエンコード・デコード部３２３でデコードされた左右２チャンネルのデジタルオーディオ信号のうち、左チャンネルのデジタルオーディオ信号ＤＬが、音漏れ比率分調整用の係数乗算部３１Ｌを通じて加算部３２Ｌに供給されると共に、前記左右２チャンネルのデジタルオーディオ信号のうち、右チャンネルのデジタルオーディオ信号ＤＲが、音漏れ比率分調整用の係数乗算部３１Ｒを通じて加算部３２Ｒに供給される。
【００６９】
そして、左チャンネルのデジタルオーディオ信号ＤＬは、また、音漏れ消去信号生成用の係数乗算部３３Ｌを通じて加算部３２Ｒに供給されて、右チャンネルのデジタルオーディオ信号ＤＲに加算される。
【００７０】
また、右チャンネルのデジタルオーディオ信号ＤＲは、また、音漏れ消去信号生成用の係数乗算部３３Ｒを通じて加算部３２Ｌに供給されて、左チャンネルのデジタルオーディオ信号に加算される。
【００７１】
このとき、前述したように、右チャンネルへの左チャンネルオーディオ信号の音漏れ比率を１／ＭＬ、また、左チャンネルへの右チャンネルオーディオ信号の音漏れ比率を１／ＭＲとしたとき、係数乗算部３３Ｌで乗算される係数は、１／ＭＬ（ただしＭＬ＞１）とされ、また、係数乗算部３３Ｒで乗算される係数は、１／ＭＲ（ただしＭＲ＞１）とされる。なお、後述するように、係数１／ＭＬおよび１／ＭＲは、ＣＰＵ３１１により、可変設定可能とすることができる。
【００７２】
上記の構成により、係数乗算部３３Ｌの出力信号ＤＣＬは、右チャンネルに漏れる左チャンネルのオーディオ信号の音漏れ消去信号となり、また、係数乗算部３３Ｒの出力信号ＤＣＲは、左チャンネルに漏れる右チャンネルのオーディオ信号の音漏れ消去信号となるようにされる。
【００７３】
そして、この例においては、加算部３２Ｌおよび加算部３２Ｒにおける加算によって、デジタル領域におけるオーバーフローを防止するため、係数乗算部３１Ｌで乗算される係数は、１−１／ＭＲとされ、係数乗算部３１Ｒで乗算される係数は、１−１／ＭＬとされる。
【００７４】
以上のようにして、音漏れ消去信号がそれぞれ加算された左チャンネルのデジタルオーディオ信号ＤＯＬおよび右チャンネルのデジタルオーディオ信号ＤＯＲは、音漏れ消去信号加算部３０４から格納音楽データエンコード・デコード部３２３に供給され、データ圧縮された後、ハードディスク装置３２２に格納される形式のデータにエンコードされて、ハードディスク装置３２２の音楽コンテンツ格納部３０１に格納される。
【００７５】
図４は、図３の音漏れ消去信号加算部３０４のより詳細な構成例を示すものである。この図４に示すように、音漏れ消去信号加算部３０４は、デジタル積和演算部の構成である。
【００７６】
図４に示すように、この例の音漏れ消去信号加算部３０４では、これに入力される左チャンネルのデジタルオーディオ信号ＤＬおよび右チャンネルのデジタルオーディオ信号ＤＲは、入力バッファレジスタ３４Ｌおよび３４Ｒに１サンプルずつ取り込まれる。そして、新たにデジタルオーディオサンプルデータが、入力バッファレジスタ３４Ｌおよび３４Ｒに取り込まれるごとに、前のデータは、この入力バッファレジスタ３４Ｌおよび３４Ｒから廃棄される。
【００７７】
そして、入力バッファレジスタ３４Ｌに取り込まれた左チャンネルのサンプルデータは、それぞれ乗算部３５Ｌおよび３７Ｌに供給され、それぞれ係数レジスタ３６Ｌおよび係数レジスタ３８Ｌに格納されている係数値が、それぞれのサンプルデータに乗算される。
【００７８】
ここで、乗算部３５Ｌと係数レジスタ３６Ｌとにより、図３の係数乗算部３１Ｌが構成され、乗算部３７Ｌと係数レジスタ３８Ｌとにより、図３の係数乗算部３３Ｌが構成されるもので、係数レジスタ３６Ｌには、１−１／ＭＬが係数値として格納され、また、係数レジスタ３８Ｌには、音漏れ比率１／ＭＬが係数値として格納される。
【００７９】
この例では、係数レジスタ３６Ｌおよび３８Ｌの係数値が、制御部３０１からの調整制御信号ＣＴＬにより可変される。あるいは、制御部３０１は、ユーザの音漏れ比率の調整操作入力に応じた係数値を生成し、生成した値を、係数レジスタ３６Ｌおよび３８Ｌにその係数値として供給する。
【００８０】
そして、乗算部３５Ｌからの乗算出力は、左チャンネルの加算部３２Ｌに供給される。また、乗算部３７Ｌからの乗算出力は、右チャンネルの加算部３２Ｒに供給される。
【００８１】
同様にして、入力バッファレジスタ３４Ｒに取り込まれた右チャンネルのサンプルデータは、それぞれ乗算部３５Ｒおよび３７Ｒに供給され、それぞれ係数レジスタ３６Ｒおよび係数レジスタ３８Ｒに格納されている係数値が、それぞれのサンプルデータに乗算される。
【００８２】
ここで、乗算部３５Ｒと係数レジスタ３６Ｒとにより、図３の係数乗算部３１Ｒが構成され、乗算部３７Ｒと係数レジスタ３８Ｒとにより、図３の係数乗算部３３Ｒが構成されるもので、係数レジスタ３６Ｒには、１−１／ＭＲが係数値として格納され、また、係数レジスタ３８Ｒには、音漏れ比率１／ＭＲが係数値として格納される。
【００８３】
この例では、係数レジスタ３６Ｒおよび３８Ｒの係数値が、制御部３０１からの調整制御信号ＣＴＬにより可変される。あるいは、制御部３０１は、ユーザの音漏れ比率の調整操作入力に応じた係数値を生成し、生成した値を、係数レジスタ３６Ｒおよび３８Ｒにその係数値として供給する。
【００８４】
そして、乗算部３５Ｒからの乗算出力は、右チャンネルの加算部３２Ｒに供給される。また、乗算部３７Ｒからの乗算出力は、左チャンネルの加算部３２Ｌに供給される。
【００８５】
以上のことから、加算部３２Ｌおよび３２Ｒからは、音漏れ消去信号が加算された左右２チャンネルのデジタルオーディオ信号ＤＯＬおよびＤＯＲが得られる。そして、前述もしたように、左右２チャンネルのデジタルオーディオ信号ＤＯＬおよびＤＯＲは、音漏れ消去信号加算部３０４から格納音楽データエンコード・デコード部３２３に供給され、データ圧縮された後、ハードディスク装置３２２に格納される形式のデータにエンコードされて、ハードディスク装置３２２の音楽コンテンツ格納部３０１に格納される。
【００８６】
図４の例は、デジタル信号処理部である音漏れ消去信号加算部３０４を、積和演算部からなるハードウエア構成とした場合であるが、この音漏れ消去信号加算部３０４は、格納音楽データエンコード・デコード部３２３からのデジタルオーディオデータＤＬおよびＤＲを１サンプルずつ取り込みながらソフトウエア処理として実行することもできる。
【００８７】
この音漏れ消去信号加算部３０４の機能を備えるソフトウエアプログラムＰＧＭは、その開発会社から、例えばパッケージソフトウエアとして、あるいは、インターネットなどを通じた配信ソフトウエアとして取得して、パーソナルコンピュータ３００の例えばハードディスク装置３２２にインストールして用いることができる。
【００８８】
図５は、そのようなソフトウエアプログラムＰＧＭによる音漏れ消去信号加算処理とする場合の、処理手順を示すフローチャートである。この場合、この図５における各ステップの処理は、図２のＣＰＵ３１１が、ハードディスク装置３２２から前記ソフトウエアプログラムＰＧＭを読み出し、そのプログラムにしたがって、ＲＡＭ３１４をワークエリアとして使用して実行するものである。
【００８９】
操作入力部３１９を通じて、所定の音楽コンテンツの音楽データの取り込み指示がなされたことを受けたＣＰＵ３１１は、図５の処理ルーチンを開始し、ユーザにより取り込みが指示された、ＵＳＢインタフェース３１６、３１７、ディスクドライブ３１８、または、通信インタフェース３２４のいずれかを通じて音楽コンテンツの音楽データを取り込む（ステップＳ１０１）。
【００９０】
そして、ＣＰＵ３１１は、まず、音漏れ消去信号加算処理をせずに取り込んだ音楽データをハードディスク装置３２２の音楽コンテンツ格納部３０１に格納する処理を行う。すなわち、取り込んだ音楽データを格納音楽データエンコード・デコード部３２３に転送し、ハードディスク装置３２２に格納するためのエンコード処理を行わせる（ステップＳ１０２）。
【００９１】
そして、格納音楽データエンコード・デコード部３２３から、エンコード処理終了のステータスを得るとＣＰＵ３１１は、エンコード処理された音楽データを、その音楽コンテンツの識別情報やタイトルなどの付随情報と共に、ハードディスク装置３２２の音楽コンテンツ格納部３０１に格納する（ステップＳ１０３）。このとき、格納した音楽データには、音漏れ消去信号加算処理をしたか否かを示すフラグＦＧとして、音漏れ消去信号加算処理をしていないことを示す、例えばＦＧ＝「０」を併せて格納するようにする。
【００９２】
次に、ＣＰＵ３１１は、取り込んだ音楽データを音漏れ消去信号加算処理をして、ハードディスク装置３２２の音楽コンテンツ格納部３０１に格納する処理を行う。すなわち、この例においては、ＣＰＵ３１１は、音楽コンテンツ格納部３０１に格納した音楽データを読み出して、格納音楽データエンコード・デコード部３２３に転送し、左右２チャンネルのデジタルオーディオ信号ＤＬ，ＤＲをデコードさせるようにする（ステップＳ１０４）。
【００９３】
次に、ＣＰＵ３１１は、図示を省略する係数レジスタに格納している係数１／ＭＬ、１／ＭＲ、１−１／ＭＬ、１−１／ＭＲを読み出す（ステップＳ１０５）。そして、ＣＰＵ３１１は、格納音声データエンコード・デコード部３２３でデコードされた左右チャンネルのデジタルオーディオ信号ＤＬ，ＤＲを、図示を省略したレジスタに取り込んで、
ＤＯＬ＝ＤＬ×（１−１／ＭＲ）＋ＤＲ×１／ＭＲ
ＤＯＲ＝ＤＲ×（１−１／ＭＬ）＋ＤＬ×１／ＭＬ
・・・（式Ａ）
で表される積和演算処理を実行する（ステップＳ１０６）。
【００９４】
次に、ＣＰＵ３１１は、ステップＳ１０６で求めたデジタル信号ＤＯＬおよびＤＯＲを、格納音声データエンコード・デコード部３２３に供給して、ハードディスク装置３２２に格納するためのエンコード処理を行わせる（ステップＳ１０７）。
【００９５】
そして、格納音楽データエンコード・デコード部３２３から、エンコード処理終了のステータスを得るとＣＰＵ３１１は、エンコード処理された音楽データを、その音楽コンテンツの識別情報やタイトルなどの付随情報に対応させて、ハードディスク装置３２２の音楽コンテンツ格納部３０１に格納する（ステップＳ１０８）。このとき、格納した音楽データには、音漏れ消去信号加算処理をしたか否かを示すフラグＦＧとして、音漏れ消去信号加算処理をしたことを示す、例えばＦＧ＝「１」を併せて格納するようにする。以上で、この音楽データ格納の処理ルーチンを終了する。
【００９６】
以上のようなソフトウエア処理を行う場合には、上述の（式Ａ）の積和演算を行うためのハードウエアが不要になるというメリットがある。
【００９７】
［パーソナルコンピュータ３００から音楽プレーヤ２００への送出処理］
以上のようにして、ハードディスク装置３２２の音楽コンテンツ格納部３０１に格納された音楽コンテンツの音楽データは、ＵＳＢ端子３２０または３２１に音楽プレーヤ２００、その他のオーディオ信号再生装置が接続された状態において、ユーザの音楽コンテンツの選択指定および送出指示に応じて読み出され、当該ＵＳＢ端子３２０または３２１に接続されたオーディオ信号再生装置に送出される。
【００９８】
図６は、パーソナルコンピュータ３００において、操作入力部３１９を通じて、ユーザから送出先の指定、送出する音楽コンテンツの選択指定および送出指示があったときのＣＰＵ３１１が行う音楽データ送出処理の例を説明するためのフローチャートである。
【００９９】
ＣＰＵ３１１は、まず、選択指定された音楽コンテンツを認識する（ステップＳ１１１）。次に、ＣＰＵ３１１は、ＵＳＢ端子３２０または３２１に接続されたオーディオ信号再生装置を、ＵＳＢインタフェースを通じて認識し、当該オーディオ信号再生装置が、３極端子をヘッドフォン端子とする音楽プレーヤ２００などの、チャンネル間で音漏れの発生する端末であるか否かを判別する（ステップＳ１１２）。
【０１００】
そして、このステップＳ１１２で、ＵＳＢ端子３２０または３２１に接続されたオーディオ信号再生装置が音漏れを発生する端末であると判別したときには、ＣＰＵ３１１は、ハードディスク装置３２２の音楽コンテンツ格納部３０１から、選択指定された音楽コンテンツを検索し、検索したら、フラグＦＧを参照して、音漏れ消去信号加算処理をしている補正処理済みの音楽データを読み出す（ステップＳ１１３）。
【０１０１】
また、ステップＳ１１２で、ＵＳＢ端子３２０または３２１に接続されたオーディオ信号再生装置が音漏れを発生する端末ではないと判別したときには、ＣＰＵ３１１は、ハードディスク装置３２２の音楽コンテンツ格納部３０１から、選択指定された音楽コンテンツを検索し、検索したら、フラグＦＧを参照して、音漏れ消去信号加算処理をしていない補正なしの音楽データを読み出す（ステップＳ１１４）。
【０１０２】
そして、ＣＰＵ３１１は、ステップＳ１１３またはステップＳ１１４の後には、ステップＳ１１５に進み、読み出した音楽データを格納音楽データエンコード・デコード部３２３に転送して、送出する音楽データを、前述したように、ハードディスク装置３２２に格納する形式から、オーディオ信号再生装置に送出するデータの形式に変換する（ステップＳ１１５）。そして、その変換後の音楽データを、送出先として指定された端末に送出する（ステップＳ１１６）。
【０１０３】
以上で、パーソナルコンピュータ３００における音楽コンテンツの音楽データの送出処理は終了である。
【０１０４】
［第１の実施形態の音楽プレーヤ２００の構成例］
図７は、第１の実施形態における音楽プレーヤ２００の構成例を示すブロック図である。この例の音楽プレーヤ２００の音楽コンテンツ格納部２０２は、例えばハードディスク装置や、半導体メモリあるいは光ディスクドライブなどからなり、また、制御部２０３は、例えばマイクロコンピュータを用いて構成される。
【０１０５】
そして、この例の音楽プレーヤ２００は、ＵＳＢ端子２０４がＵＳＢインタフェース２０５を通じて制御部２０３に接続されると共に、操作入力部２１がインタフェース２０６を通じて制御部２０３に接続される。
【０１０６】
また、格納音楽データエンコード部２０７が制御部２０３に接続されて設けられる。この格納音楽データエンコード部２０７は、ＵＳＢインタフェース２０５を通じて取り込んだ音楽データを音楽コンテンツ格納部２０２に格納する際に、当該音楽コンテンツ格納部２０２に格納する形式のデータに変換するエンコード処理をする場合に用いられる。
【０１０７】
この実施形態の音楽プレーヤ２００の、３極端子の構成のヘッドフォンジャック２０１は、左チャンネルオーディオ信号の出力端子２６Ｌと、右チャンネルオーディオ信号の出力端子２６Ｒと、共通接地端子２６Ｃとを備える。このヘッドフォンジャック２０１に、前述した図１９に示したようなヘッドフォン１００の、３極端子で構成される接続プラグ１０１が挿入されるように構成されている。
【０１０８】
制御部２０３は、ＵＳＢ端子２０４およびＵＳＢインタフェース２０５を通じて、パーソナルコンピュータ３００から送られてくる音楽コンテンツの音楽データおよびその付随情報を受け取ると、当該受け取った音楽データおよび付随情報を音楽コンテンツ格納部２０２に格納する。
【０１０９】
そして、制御部２０３は、操作入力部２１およびインタフェース２０６を通じたユーザの音楽コンテンツの選択入力およびその再生要求に応じて、音楽コンテンツ格納部２０２から、ユーザにより選択された音楽コンテンツを読み出すように制御する。
【０１１０】
音楽コンテンツ格納部２０２から読み出された音楽コンテンツの音楽データは、音楽データデコード部２２に供給されてデコードされる。そして、この音楽データデコード部２２から、左右２チャンネルのデジタルオーディオ信号（ＰＣＭ（Ｐｕｌｓｅ  Ｃｏｄｅ  Ｍｏｄｕｌａｔｉｏｎ）オーディオ信号）ＤＬ，ＤＲが出力される。
【０１１１】
このデジタルオーディオ信号ＤＬ，ＤＲは、それぞれＤ／Ａ変換器２３Ｌ，２３Ｒに供給されて、アナログオーディオ信号に変換された後、それぞれアナログアンプ２４Ｌおよびアナログアンプ２４Ｒに供給される。そして、このアナログアンプ２４Ｌおよび２４Ｒにより増幅された左右２チャンネルのアナログオーディオ信号は、抵抗２５Ｌおよび抵抗２５Ｒをそれぞれ通じて３極端子であるヘッドフォンジャック２０１の左チャンネルオーディオ信号出力端子２６Ｌおよび右チャンネルオーディオ信号出力端子２６Ｒのそれぞれに供給される。
【０１１２】
このとき、ヘッドフォン端子２０１の出力端子２６Ｌおよび出力端子２６Ｒのそれぞれに供給される左チャンネルオーディオ信号および右チャンネルオーディオ信号は、前述したように、パーソナルコンピュータ３００において、音漏れ消去信号加算がなされているオーディオ信号であり、当該音漏れ消去信号加算処理がなされた左右チャンネルのオーディオ信号が、ヘッドフォン１００に供給されることになる。
【０１１３】
［音漏れ低減処理動作について］
次に、この第１の実施形態において、ヘッドフォン１００の接続プラグ１０１が、音楽プレーヤ２００のヘッドフォンジャック２０１に差し込まれた状態において、音漏れ消去信号加算処理がなされた左右チャンネルのオーディオ信号が、ヘッドフォン１００に供給されることにより、左右チャンネルのヘッドフォンユニット１０Ｌ，１０Ｒ間における音漏れがキャンセルされて軽減されることを説明する。
【０１１４】
図８は、左右チャンネルのヘッドフォンユニット１０Ｌ，１０Ｒ間における音漏れがキャンセルされて軽減されることを説明するための等価的な接続回路図である。この図８では、パーソナルコンピュータ３００の音漏れ消去信号加算部３０４で前述したように音漏れ消去信号加算処理された左右２チャンネルのオーディオ信号が、音楽プレーヤ２００で再生され、ヘッドフォン１００により音響再生される様子を示すものである。
【０１１５】
そして、この図８では、音漏れのキャンセル効果を確認するため、左チャンネルオーディオ信号が大振幅信号であり、かつ、右チャンネルは全くの無音であるとした場合であっても、左チャンネルオーディオ信号の右チャンネルへの音漏れがキャンセルあるいは軽減される様子を示すものである。
【０１１６】
なお、信号源３０Ｌは、音漏れ消去信号加算処理部３０４に入力される左チャンネルのデジタルオーディオ信号ＤＬの信号源を示しており、また、信号源２０Ｒは、音漏れ消去信号加算処理部３０４に入力される右チャンネルのデジタルオーディオ信号ＤＬの信号源を示している。
【０１１７】
そして、図８に示すように、音漏れ消去信号加算処理部３０４の構成例は、図３に示した通りであり、音漏れ消去信号がそれぞれ加算された左チャンネルのデジタルオーディオ信号ＤＯＬおよび右チャンネルのデジタルオーディオ信号ＤＯＲは、パーソナルコンピュータ３００から音楽プレーヤ２００のＤ／Ａ変換器２３Ｌおよび２３Ｒにそれぞれ供給されて、アナログオーディオ信号に変換される。
【０１１８】
そして、変換後の左チャンネルおよび右チャンネルのアナログオーディオ信号が、アンプ２４Ｌおよび２４Ｒをそれぞれ通じ、抵抗２５Ｌおよび抵抗２５Ｒをそれぞれ通じて左チャンネルオーディオ信号出力端子２６Ｌおよび右チャンネルオーディオ信号出力端子２６Ｒに供給される。
【０１１９】
このようにして、音漏れ消去信号加算処理がなされた左右チャンネルのオーディオ信号がヘッドフォン１００に供給される結果、この第１の実施形態においては、次に説明するようにして、音漏れ消去信号ＤＣＬ，ＤＣＲにより、左右チャンネル間における音漏れ信号がキャンセルされて、音漏れが軽減される。
【０１２０】
すなわち、図８においても、前述した図２０の場合と同様に、左チャンネルオーディオ信号出力端子２６Ｌから出力された左チャンネルの大振幅オーディオ信号は、左チャンネル用ヘッドフォンユニット１０Ｌを通過した後、共通接地端子２６Ｃに接続されている共通接続点１３Ｃに達し、共通接地端子２６Ｃに流れる。
【０１２１】
そして、共通接続点１３Ｃは、右チャンネル用ヘッドフォンユニット１０Ｒにも接続されているので、共通線路抵抗１４Ｃなどの存在も相俟って、左チャンネルの大振幅オーディオ信号は、右チャンネル用ヘッドフォンユニット１０Ｒにも漏れて供給されてしまう状態になる。
【０１２２】
しかし、この第１の実施形態では、図８に示されるように、音漏れ消去信号加算部３０４において、左チャンネルオーディオ信号の右チャンネルへの漏れ分に相当する音漏れ消去信号ＤＣＬが加算部３２Ｒにおいて右チャンネルのオーディオ信号に加算されている。図８では、右チャンネルのオーディオ信号は存在しない（ゼロである）としているため、加算部３２Ｒからは、音漏れ消去信号ＤＣＬのみが出力され、この音漏れ消去信号ＤＣＬがＤ／Ａ変換器２３Ｒでアナログオーディオ信号に変換され、アンプ２４Ｒを通じ、右チャンネルオーディオ信号出力端子２６Ｒを通じて、右チャンネル用ヘッドフォンユニット１０Ｒに供給される。
【０１２３】
この結果、右チャンネル用ヘッドフォンユニット１０Ｒでは、共通接続点１３Ｃを介して左チャンネル側から漏れてくる信号成分と、音漏れ消去信号ＤＣＬのアナログ信号とが互いに相殺されてキャンセルされ、右チャンネル用ヘッドフォンユニット１０Ｒからは音漏れ信号による音波は発生しない、あるいは軽減される。
【０１２４】
図８は、上述したように、左チャンネルオーディオ信号が右チャンネルに漏れる場合についての説明であるが、右チャンネルオーディオ信号が左チャンネルに漏れる場合には、加算部３２Ｌに加算された、音漏れ消去信号ＤＣＲにより、前記漏れ分が、左チャンネル用ヘッドフォンユニット１０Ｌにおいて相殺されてキャンセルされ、右チャンネル用ヘッドフォンユニット１０Ｒからは音漏れ信号による音波は発生しない、あるいは軽減されるものである。
【０１２５】
この結果、ヘッドフォン使用者に対して、左右チャンネルオーディオ信号が本来持っている情報を、ユーザに対して、より正確に伝えることができるようになり、いわゆるチャンネル間のセパレーションが向上する。
【０１２６】
［音漏れ比率の設定］
上述の実施の形態において、音漏れ比率１／ＭＬおよび１／ＭＲの値は、例えば音楽プレーヤ２００にヘッドフォン１００が付属されている場合のみを想定するときには、音楽プレーヤ２００の出力オーディオ信号をヘッドフォン１００で音楽聴取したときの音漏れ比率１／ＭＬおよび１／ＭＲを測定して、当該測定した音漏れ比率１／ＭＬおよび１／ＭＲを固定的に、音楽プレーヤ２００に対応させてパーソナルコンピュータ３００のメモリに記憶しておき、係数レジスタ３６Ｌ、３６Ｒ、３８Ｌ、３８Ｒに設定する係数として用いることができる。
【０１２７】
この場合に、音漏れ比率１／ＭＬおよび１／ＭＲは、ユーザが測定して設定するのではなく、前記音漏れ消去信号加算処理機能を備えるソフトウエアプログラムＰＧＭを開発する側が、市場においてよく使用される音楽プレーヤとヘッドフォンとを複数個予測して、これら音楽プレーヤとヘッドフォンの組み合わせた場合の最適な音漏れ比率を予め測定調査して、前記ソフトウエアプログラム内にプルダウンメニューとして持っておくようにする。
【０１２８】
この場合、使用者が前記プルダウンメニューから、自分が使用する音楽プレーヤやヘッドフォンを、その型番などにより選択すると、自動的に、音漏れ消去信号加算処理において使用される音漏れ比率に基づく前記乗算係数が、所定のレジスタに設定される。これにより、ユーザは、簡単に、自分が使用する音楽プレーヤやヘッドフォンに最適と考えられる音漏れ比率を自動的に設定することができるので、非常に有益である。
【０１２９】
なお、音漏れ比率の提供方法としては、前記ソフトウエアプログラムに付属の説明書等に市場においてよく使用される音楽プレーヤとヘッドフォンの組み合わせた場合の推奨の音漏れ比率表を記載しておき、前記ソフトウエアプログラムによる入力指示に応じて、ユーザに、当該表から、自分が使用する音楽プレーヤやヘッドフォンに最適と考えられる音漏れ比率を入力してもらうようにしても良い。
【０１３０】
また、ユーザが、前記ソフトウエアプログラムの開発会社のホームページにインターネットからアクセスして、当該ホームページから、自分の音楽プレーおよびヘッドフォンについて推奨される音漏れ比率を取得する方法など、その他種々の音漏れ比率の取得方法が可能である。
【０１３１】
ところで、音楽プレーヤ個々の特性やヘッドフォン１００個々の特性がすべて同一ではない場合があること、ユーザが音楽プレーヤ３００に付属のヘッドフォン１００のみを使用するとは限らないこと、などを考慮すると、音漏れ比率１／ＭＬおよび１／ＭＲの値を、前述のように固定的に設定するようにしたときには、音漏れ消去の効果として所期のものが得られない恐れがある。そのことを考慮した場合には、ユーザが実際に使用する音楽プレーヤおよびヘッドフォンの組み合わせごとに、音漏れ比率１／ＭＬおよび１／ＭＲを以下に説明する設定方法により、設定する方法が有効である。
【０１３２】
なお、以下に説明する音漏れ比率の設定方法の処理は、前記音漏れ消去信号処理を含むソフトウエアプログラムＰＧＭに含まれているものとする。また、説明の簡単にするため、音漏れ比率１／ＭＬと音漏れ比率１／ＭＲとが等しいものとして、左チャンネルのオーディオ信号が右チャンネルのオーディオ信号に漏れる場合の音漏れ比率を設定する場合のみについて説明する。
【０１３３】
図９は、この例の音漏れ比率の設定方法において、パーソナルコンピュータ３００で実行される処理を説明するためのフローチャートである。図１０は、図９の一部の処理の詳細な処理手順を説明するためのフローチャートである。また、図１１および図１２は、この例の音漏れ比率の設定方法の手順の概要を説明するための概念図である。
【０１３４】
この例では、まず、パーソナルコンピュータ３００は、ユーザの操作入力部３１９を通じた操作を受けて、音漏れ比率の調査設定用基準ファイルＦを取り込む（図９のステップＳ２０１）。
【０１３５】
この例では、この基準ファイルＦは、図１１に示すように、左チャンネルのオーディオ信号ＤＬが大振幅の信号とされ、右チャンネルのオーディオ信号が無音であるテスト用入力信号を含む。なお、この基準ファイルＦの取り込み操作には、ソフトウエアプログラムＰＧＭ自身のダウンロードやインストールも含まれており、前記テスト用入力信号がソフトウエアプログラムＰＧＭの一部として存在しても構わない。
【０１３６】
したがって、このテスト用入力信号を含む基準ファイルＦは、ソフトウエアプログラムＰＧＭが配信ソフトウエアであるときには、インターネットを通じて取り込まれ、パッケージソフトウエアであるときには、ＣＤやＤＶＤから取り込まれる。
【０１３７】
次に、ユーザは、ソフトウエアプログラムＰＧＭによって、この基準ファイルＦを開き、操作入力部３１９を通じた所定のボタン操作（図１１の１番のボタン操作）によって、適当な音漏れ比率の範囲（音漏れ量を利得として表現するので、以下、この範囲を利得範囲という）ｎやテスト信号継続時間Ｔなどを設定するので、ＣＰＵ３１１は、これを受け付ける（ステップＳ２０２）。
【０１３８】
ここで、利得範囲ｎは、予め定められた単位利得のステップを、何ステップ設けるかというステップ数ｎである。３極端子のヘッドフォンの具体的な音漏れ量は、２５ｄＢ〜４５ｄＢ近辺に数多く存在しているのが実測結果から判明しているので、これを考慮して、この例では、利得範囲ｎは、例えば、１ｄＢ／ステップで、ｎ＝２０個程度、あるいは２ｄＢ／ステップで、ｎ＝１０個程度とされる。
【０１３９】
次に、パーソナルコンピュータ３００は、操作入力部３１９を通じた所定のボタン操作（図１１の２番のボタン操作）を受けて、基準ファイルＦの前述したテスト用入力信号から、Ｎ個のステップのそれぞれの利得（音漏れ比率）について、それぞれ図５のフローチャートに示したような音漏れ消去信号加算処理をして、各ステップについての左チャンネル信号ＤＯＬおよび右チャンネル信号ＤＯＲからなるｎ個の調査設定用ファイルＦ０〜Ｆｎ−１を生成する（ステップＳ２０３）。
【０１４０】
このステップＳ２０３の処理は、例えば図１０に示すようなものとなる。すなわち、まず、ＣＰＵ３１１は、基準ファイルＦを開く（ステップＳ２１１）。次に、最初の利得値（音漏れ比率）を設定し（ステップＳ２１２）、基準ファイルＦからテスト用入力信号のバイト列を読み込む（ステップＳ２１３）。
【０１４１】
次に、ＣＰＵ３１１は、読み込んだバイト列をＰＣＭオーディオデータに変換する（ステップＳ２１４）。そして、設定された利得（音漏れ比率）に応じた乗算係数を設定して、前述した音漏れ消去信号加算処理を実行して、オーディオデータＤＯＬおよびＤＯＲを生成する（ステップＳ２１５）。
【０１４２】
次に、ＣＰＵ３１１は、ＰＣＭオーディオデータＤＯＬおよびＤＯＲをバイト列に変換し（ステップＳ２１６）、変換後のバイト列を、調査設定用ファイルＦｉ（ｉ＝０，１，２，・・・，ｎ−１）に書き込む（ステップＳ２１７）。
【０１４３】
次に、ＣＰＵ３１１は、ステップＳ２１３のバイト列の読み込み時点から、設定された時間Ｔに相当する時間長分のテスト用のオーディオデータの生成処理を終了したか否か判別し（ステップＳ２１８）、終了していなければステップＳ２１３に戻り、このステップＳ２１３以降の処理を繰り返す。また、ステップＳ２１８で、設定された時間Ｔに相当する時間長分のテスト用のオーディオデータの生成処理を終了したと判別したときには、バイト列の調査設定用ファイルＦｉへの書き込みを停止し、当該調査設定用ファイルＦｉを閉じる（ステップＳ２１９）。
【０１４４】
次に、ＣＰＵ３１１は、ｎ個のすべてのステップの利得について、調査設定用ファイルＦｉの生成を終了したか否か判別し（ステップＳ２２０）、終了していないと判別したときには、利得を１ステップ分変更して（ステップＳ２２１）、ステップＳ２１３に戻り、このステップＳ２１３以降の処理を繰り返すことにより、次のステップについての調査設定用ファイルの生成処理をする。
【０１４５】
ステップＳ２２０で、ｎ個のすべての調査設定用ファイルの生成を終了したと判別したときには、ＣＰＵ３１１は、この調査設定用ファイルの生成処理ルーチンを終了する。
【０１４６】
以上のようにして、ステップＳ２０３で、ｎ個の調査設定用ファイルＦ０〜Ｆｎ−１を生成したら、ＣＰＵ３１１は、さらに、ユーザによるボタン操作（図１１の３番のボタン操作）を待って、生成した調査設定用ファイルＦ０〜Ｆｎ−１を、音楽プレーヤ２００に転送（チェックアウト）する（ステップＳ２０４）。
【０１４７】
音楽プレーヤ２００では、送られてきたｎ個の調査設定用ファイルＦ０〜Ｆｎ−１は、例えば音楽コンテンツ格納部２０２を経由して、あるいは音楽コンテンツ格納部２０２を経由することなく、デコードされて、ヘッドフォン１００に出力され、音響再生される。
【０１４８】
音楽プレーヤ２００のユーザは、図１２に示すように、ｎ個の調査設定用ファイルＦ０〜Ｆｎ−１のそれぞれの再生音声を、それぞれ時間長Ｔずつ、ヘッドフォン１００にて受聴する。このとき、ユーザは、図１２に示すように、右チャンネルのヘッドフォンユニット１０Ｒからの音響再生出力のみを聴取して、再生音が最小あるいはゼロとなる最適調査設定用ファイルＦｉを選択するようにする。
【０１４９】
そして、音楽プレーヤ２００のユーザは、パーソナルコンピュータ３００に対して、選択した最適調査設定用ファイルＦｉの選択入力をするようにする。この例では、ユーザは、例えば最適調査設定用ファイルＦｉのファイルインデックスｉを入力するようにする。図１２の例では、最適調査設定用ファイルＦ２のときに最も音漏れが小さいとされたので、ｉ＝２が入力される。
【０１５０】
パーソナルコンピュータ３００は、この最適調査設定用ファイルＦｉの選択入力を受け付ける（図９のステップＳ２０５）。そして、パーソナルコンピュータ３００は、例えば図１２に示すようにして、選択された最適調査設定用ファイルＦｉを白黒反転表示したり、選択された項目をハイライト化したり、色を変化させたり、録音された音声を再生するといった様々な方法で確認報知をする（ステップＳ２０６）。
【０１５１】
その後、当該選択された最適調査設定用ファイルＦｉのときの音漏れ比率（利得）を、例えばハードディスク装置３２２の所定の領域に格納して保存する（ステップＳ２０７）。なお、保存する領域としては、ハードディスク装置３２２だけでなく、電源が切れても再度読み込み可能な静的メモリ領域であってもよい。
【０１５２】
なお、上述した音漏れ比率の調査設定処理は、音楽プレーヤ２００やヘッドフォン１００を、使用者が買い換えた場合などに、再度行うことができるのはもちろんである。
【０１５３】
パーソナルコンピュータ３００は、こうして設定された音漏れ比率に基づいた乗算係数を用いて、その後の音漏れ消去信号加算処理を実行する。
【０１５４】
なお、前述したように、上述の例の音漏れ比率の調査設定方法においては、音漏れ比率１／ＭＬと音漏れ比率１／ＭＲとが等しいものとして、片チャンネルについてのみの音漏れ比率を調査設定するようにしたが、他方のチャンネルについても、上述と全く同様にして、ｎ個の調査設定用ファイルを生成して、音楽プレーヤ２００に転送し、その調査設定用ファイルを用いて、当該他のチャンネルについても、上述と同様にして、音漏れ比率を設定するようにすることができる。
【０１５５】
以上の説明は、使用する音楽プレーヤ２００が１台の場合を想定しているが、使用する音楽プレーヤが複数台であってもよい。その場合には、上述した音漏れ比率のデータは、それぞれの音楽プレーヤの識別情報に対応してパーソナルコンピュータ３００に記憶しておき、かつ、音楽コンテンツ格納部３２２には、それぞれの音楽プレーヤ用の音漏れ比率を用いた音漏れ消去信号加算処理を施した音楽データを、それぞれの音楽プレーヤの識別情報に対応して格納しておくようにする。
【０１５６】
そして、パーソナルコンピュータ３００から音楽プレーヤ２００のそれぞれに音楽データを送出する際には、対応する音漏れ消去信号加算処理を施した音楽データを、音楽コンテンツ格納部３２２から読み出して、送出するようにすればよい。送出する音楽プレーヤがいずれの音楽プレーヤであるかは、ＵＳＢインタフェースにより自動的に識別したり、ユーザが指定入力したりするようにすれば良い。
【０１５７】
なお、音楽プレーヤ２００にも、音漏れ消去信号加算処理をした音楽コンテンツの音楽データのみではなく、音漏れ消去加算処理を施していない音楽データを転送し、音楽プレーヤ２００において、ユーザがいずれを再生するかを選択するようにしてもよい。
【０１５８】
なお、上述の実施形態の説明においては、パーソナルコンピュータ３００の音漏れ消去信号加算部３０４で使用する音漏れ比率を設定して、音漏れ消去信号の大きさを最適に設定することができるようにした。しかし、上記の実施形態では、音漏れ消去信号の位相については、考慮していない。すなわち、ヘッドフォンユニット１０Ｌおよび１０Ｒのそれぞれにおいて、音漏れ消去信号と、消去される対象となるチャンネルのオーディオ信号との位相が一致していないときには、良好なキャンセル効果が得られない場合がある。
【０１５９】
そこで、前述した音漏れ比率の調査設定方法により、音漏れ比率を設定した後に、同じテスト用信号を用いると共に、一方のチャンネルのオーディオ信号を音漏れ比率を乗算する前、または、乗算した後に、加算部３５Ｌまたは３５Ｒに供給する信号の位相を、例えばサンプル単位で移相させた複数個の信号を、上述の調査設定用ファイルと同様に、それぞれのファイルとして生成する。そして、生成した位相が異なるファイルの信号を音楽プレーヤに供給して、ヘッドフォンによりそれぞれ音響再生し、ユーザにより、音漏れが最小になる位相を選択させるようにする。
【０１６０】
これにより、音漏れが最小になる位相が設定されるので、それをパーソナルコンピュータ３００に記憶し、音漏れ消去信号加算処理の際に、当該設定された位相分だけ音漏れ消去信号を移相させるようにする。これにより、より最適な音漏れ低減効果が期待できる。
【０１６１】
［音楽コンテンツ格納送出装置および方法の第２の実施形態］
図１３は、この第２の実施形態説明するためのシステム構成およびその主要部の概要を示すブロック図である。上述の第１の実施形態では、パーソナルコンピュータ３００において、音楽コンテンツの入力音楽データを音楽コンテンツ格納部３０１に格納する際に、音漏れ消去信号加算部３０４において音漏れ消去信号加算処理をするようにしたが、この第２の実施形態では、音楽コンテンツ格納部３０１には、音楽コンテンツの音楽データは音漏れ消去信号加算処理をせずに格納する。
【０１６２】
そして、この第２の実施形態では、ＵＳＢ端子３０３に、３極端子をヘッドフォン端子２０１として備える音楽プレーヤ２００が接続され、当該音楽プレーヤ２００に選択指定された音楽コンテンツの音楽データを送出する際には、送出制御部３０２は、音楽コンテンツ格納部３０１から前記選択指定された音楽コンテンツの音楽データを読み出して、音漏れ消去信号加算部３０４に供給する。そして、パーソナルコンピュータ３００は、この音漏れ消去信号加算部３０４で音漏れ消去信号加算処理をした音楽データを、ＵＳＢ端子３０３を通じて音楽プレーヤ２００に送出するようにする。
【０１６３】
この場合、パーソナルコンピュータ３００のハードウエア構成例は、図２に示した第１の実施形態の場合と全く同様とすることができる。音漏れ消去信号加算部３０４の構成も、図３〜図５を用いた構成とすることができる。また、音楽プレーヤ２００の構成は、第１の実施形態と全く同様でよい。
【０１６４】
また、音漏れ消去信号加算部３０４で用いる音漏れ比率の設定方法も、上述の第１の実施形態の場合と全く同様とすることができる。
【０１６５】
［パーソナルコンピュータ３００から音楽プレーヤ２００への送出処理］
図１４は、この第２の実施形態において、図２に示した構成のパーソナルコンピュータ３００で、操作入力部３１９を通じて、ユーザから送出先の指定、送出する音楽コンテンツの選択指定および送出指示があったときのＣＰＵ３１１が行う音楽データ送出処理の例を説明するためのフローチャートである。
【０１６６】
ＣＰＵ３１１は、まず、選択指定された音楽コンテンツを認識する（ステップＳ３０１）。次に、ＣＰＵ３１１は、音楽コンテンツ格納部３２２から、選択指定された音楽コンテンツを検索して読み出す（ステップＳ３０２）。
【０１６７】
次に、ＣＰＵ３１１は、ＵＳＢ端子３２０または３２１に接続されたオーディオ信号再生装置を、ＵＳＢインタフェースを通じて認識し、当該オーディオ信号再生装置が、３極端子をヘッドフォン端子とする音楽プレーヤ２００などの、チャンネル間で音漏れの発生する端末であるか否かを判別する（ステップＳ３０３）。
【０１６８】
そして、このステップＳ３０３で、ＵＳＢ端子３２０または３２１に接続されたオーディオ信号再生装置が音漏れを発生する端末であると判別したときには、ＣＰＵ３１１は、ハードディスク装置３２２の音楽コンテンツ格納部３０１から読み出した音楽データを格納音楽データエンコード・デコード部３２３に転送して、左右２チャンネルのデジタルオーディオ信号ＤＬ，ＤＲをデコードさせるようにする（ステップＳ３０４）。
【０１６９】
次に、ＣＰＵ３１１は、図示を省略する係数レジスタに格納している係数１／ＭＬ、１／ＭＲ、１−１／ＭＬ、１−１／ＭＲを読み出す（ステップＳ３０５）。そして、ＣＰＵ３１１は、格納音声データエンコード・デコード部３２３でデコードされた左右チャンネルのデジタルオーディオ信号ＤＬ，ＤＲを、図示を省略したレジスタに取り込んで、
ＤＯＬ＝ＤＬ×（１−１／ＭＲ）＋ＤＲ×１／ＭＲ
ＤＯＲ＝ＤＲ×（１−１／ＭＬ）＋ＤＬ×１／ＭＬ
・・・（式Ａ）
で表される積和演算処理を実行する（ステップＳ３０６）。
【０１７０】
次に、ＣＰＵ３１１は、ステップＳ３０６で求めたデジタル信号ＤＯＬおよびＤＯＲをエンコードして音楽コンテンツの音楽データを再生成する（ステップＳ３０７）。さらには、この音楽コンテンツの音楽データを、音楽プレーヤ２００に送出するデータの形式に変換する（ステップＳ３０８）。そして、その変換後の音楽データを、送出先として指定された音楽プレーヤ２００に送出する（ステップＳ３０９）。
【０１７１】
また、ステップＳ３０３で、ＵＳＢ端子３２０または３２１に接続されたオーディオ信号再生装置が音漏れを発生する端末ではないと判別したときには、ＣＰＵ３１１は、ハードディスク装置３２２の音楽コンテンツ格納部３０１から読み出したデジタル音楽データを、オーディオ信号再生装置である音楽プレーヤ２００に送出するデータの形式に変換する（ステップＳ３０８）。そして、その変換後の音楽データを、送出先として指定された音楽プレーヤ２００に送出する（ステップＳ３０９）。
【０１７２】
以上で、この第２の実施形態におけるパーソナルコンピュータ３００での音楽コンテンツの音楽データの送出処理は終了である。
【０１７３】
この第２の実施形態においては、音楽コンテンツ格納部３０１には、音漏れ消去信号加算処理をした音楽データを格納しておく必要は無く、音楽プレーヤ２００がパーソナルコンピュータ３００に接続されたときに、設定されている音漏れ比率や位相の情報を用いた音漏れ消去信号加算処理をして、当該音楽プレーヤ２００に送出することができ、音楽コンテンツ格納部３０１にメモリ領域の利用効率が第１の実施形態に比べて優れている。
【０１７４】
また、パーソナルコンピュータ３００に接続される音楽プレーヤ２００が種々のものが想定される場合においても、音楽コンテンツ格納部３０１には、それぞれの音楽プレーヤ用の音漏れ消去信号加算処理済みの音楽データを格納しておく必要は無く、それらの音楽プレーヤ２００のそれぞれについての音漏れ比率や位相を、それらの音楽プレーヤの識別情報に対応して記憶しておくことだけでよい。この場合、パーソナルコンピュータ３００は、接続された音楽プレーヤに応じた音漏れ比率や位相を読み出して、音漏れ消去信号加算処理をして、それぞれの音楽プレーヤに送出すればよい。
【０１７５】
［音楽コンテンツ格納送出装置および方法の第３の実施形態（オーディオ信号再生装置の実施形態）］
この発明の音楽コンテンツ格納送出方法は、オーディオ信号再生装置にも適用可能である。
【０１７６】
図１５は、この発明によるオーディオ信号再生装置の実施形態を用いた場合のシステム構成例を示すブロック図である。この図１５に示すように、この実施形態におけるパーソナルコンピュータ３００は、音漏れ消去信号加算部は備えず、音楽コンテンツ格納部３０１には、音漏れ消去信号加算処理した音楽コンテンツの音楽データを格納することはせず、通常のように入力音楽コンテンツの音楽データを、音楽コンテンツ格納部３０１に格納する形式に変換してそのまま格納する。
【０１７７】
そして、この実施形態のオーディオ信号再生装置が適用された音楽プレーヤ２００に、音漏れ消去信号加算部２０８を設ける。そして、音楽プレーヤ２００にパーソナルコンピュータ３００からの音楽データの転送を受けたときに、受け取った音楽データに対して、この音漏れ消去信号加算部２０８で前述したような音漏れ消去信号加算処理をした後に、格納音楽データエンコード部２０７にてエンコード処理を行い、その後、音楽コンテンツ格納部２０２に格納するようにする。
【０１７８】
この実施形態の音楽プレーヤ２００のハードウエア構成は、図１６に示すようなものとなる。すなわち、この図１６から分かるように、この実施形態の音楽プレーヤ２００のハードウエア構成は、図７に示した第１の実施形態における音楽プレーヤ２００の制御部２０３に対して音漏れ消去信号加算部２０８が接続された構成となる。そして、この例においては、制御部２０３は、取り込んだ音楽データを音楽データデコード部２２に供給して、そのデコード出力信号ＤＬ，ＤＲを音漏れ消去信号加算部２０８に供給するように構成される。
【０１７９】
この実施形態においても、音楽プレーヤ２００の音楽コンテンツ格納部２０２に格納された音楽コンテンツの音楽データは、前述の第１および第２の実施形態と全く同様に、音漏れ消去信号加算処理がなされたものとなっている。
【０１８０】
したがって、音楽プレーヤ２００のヘッドフォン端子１０１に接続されたヘッドフォン１００によって音楽データが音響再生されたときには、前述の実施形態と全く同様にして、左右チャンネル間の音漏れが消去あるいは低減されるものである。
【０１８１】
この実施形態における音漏れ消去信号加算部２０８の構成は、図３および図４を用いたハードウエア構成とすることもできるし、制御部２０３が図５のフローチャートに示したような処理を実行するソフトウエア構成とすることもできる。また、前述したように、チャンネル間の遅延位相を考慮した構成とすることもできる。
【０１８２】
図１７に、チャンネル間の遅延位相を考慮した音漏れ消去信号加算部２０８のハードウエア構成例を示す。この例は、音漏れ比率およびこの音漏れ消去信号の位相をユーザにより調整することができるようにした場合である。この図１７において、図４に示した音漏れ消去信号加算部３０４と同一部分には、同一符号を付すことにする。
【０１８３】
すなわち、この例では、前述した音漏れ消去信号加算部３０４において、係数レジスタ３６Ｌ，３６Ｒおよび係数レジスタ３８Ｌ，３８Ｒに格納する係数の調整手段を設けるとともに、位相調整手段を設けるようにする。この場合、位相調整は、例えばデジタルオーディオデータのサンプル単位で行うようにする。
【０１８４】
図１７の例においては、係数レジスタ３６Ｌ，３６Ｒおよび係数レジスタ３８Ｌ，３８Ｒに格納する係数は、後述するテスト信号を用いた音漏れ比率の設定調整方法によりユーザにより設定されることができるようにされている。
【０１８５】
また、この図１７の例においては、図４の例の音漏れ消去信号加算部３０４の入力バッファレジスタ３４Ｌおよび３４Ｒの代わりに、ｍ段（ｍは２以上の整数）のシフトレジスタ３４０Ｌおよび３４０Ｒが設けられる。このｎ段のシフトレジスタ３４０Ｌおよび３４０Ｒは、その各段の出力として、入力デジタルデータに対して、それぞれ０，１，２，・・・，ｍ−１サンプル分遅延したデジタルデータを出力する。
【０１８６】
図１７の例では、シフトレジスタ３４０Ｌおよび３４０Ｒの初段出力Ｌ［ｍ−１］、Ｒ［ｍ−１］が入力デジタルデータそのものであり、第ｊ段目（ｊ＝０，１，２，・・・，ｍ−１）の出力Ｌ［ｊ］、Ｒ［ｊ］のｊの値が小さくなるほど、遅延量が大きくなり、出力Ｌ［０］、Ｒ［０］は、入力デジタルデータよりもｎ−１サンプル分遅延されたデータサンプルである。
【０１８７】
シフトレジスタ３４０Ｌおよび３４０Ｒの初段出力Ｌ［ｎ−１］、Ｒ［ｎ−１］は、それぞれ乗算部３５Ｌおよび３５Ｒにそれぞれ供給されて、係数レジスタ３６Ｌおよび３６Ｒに格納されている係数１−１／ＭＬおよび１−１／ＭＲと乗算される。そして乗算部３５Ｌおよび３５Ｒの乗算結果は、加算部３２Ｌおよび３２Ｒにそれぞれ供給される。
【０１８８】
一方、シフトレジスタ３４０Ｌおよび３４０Ｒの各段のレジスタ出力に対して、乗算部３７Ｌ［０］、３７Ｌ［１］、３７Ｌ［２］、・・・、３７Ｌ［ｍ−１］および乗算部３７Ｒ［０］、３７Ｒ［１］、３７Ｒ［２］、・・・、３７Ｒ［ｍ−１］がそれぞれ設けられる。
【０１８９】
そして、左チャンネル用の乗算部３７Ｌ［０］、３７Ｌ［１］、３７Ｌ［２］、・・・、３７Ｌ［ｍ−１］のそれぞれにおいては、係数レジスタ３８Ｌに格納されている係数１／ＭＬと各段のレジスタ出力とが乗算され、その乗算結果が、セレクタ３９Ｌに供給される。セレクタ３９Ｌには、制御部２０３から、ユーザの操作入力部２１を通じた操作入力に応じた選択制御信号ＳＥＬＬが供給される。セレクタ３９Ｌからは、乗算部３７Ｌ［０］、３７Ｌ［１］、３７Ｌ［２］、・・・、３７Ｌ［ｍ−１］の乗算結果のうち、選択制御信号ＳＥＬＬにより選択された一つの乗算結果が得られ、その選択された一つの乗算結果が、右チャンネルの信号との加算部３２Ｒに供給される。
【０１９０】
また、右チャンネル用の乗算部３７Ｒ［０］、３７Ｒ［１］、３７Ｒ［２］、・・・、３７Ｒ［ｍ−１］のそれぞれにおいては、係数レジスタ３８Ｒに格納されている係数１／ＭＲと各段のレジスタ出力とが乗算され、その乗算結果が、セレクタ３９Ｒに供給される。セレクタ３９Ｒには、制御部２０３から、ユーザの操作入力部２１を通じた操作入力に応じた選択制御信号ＳＥＬＲが供給される。セレクタ３９Ｒからは、乗算部３７Ｒ［０］、３７Ｒ［１］、３７Ｒ［２］、・・・、３７Ｒ［ｍ−１］の乗算結果のうち、選択制御信号ＳＥＬＲにより選択された一つの乗算結果が得られ、その選択された一つの乗算結果が、左チャンネルの信号との加算部３２Ｌに供給される。
【０１９１】
音漏れ消去信号加算部２０７が以上のように構成されるこの実施形態の音楽プレーヤ２００においては、係数および位相の設定モードを設けると共に、後述するように、第１のテスト信号および第２のテスト信号を用いて、係数１／ＭＬ、１／ＭＲ、１−１／ＭＬ、１−１／ＭＲ設定ならびに位相調整を行うようにする。
【０１９２】
例えば、左チャンネルオーディオ信号が大振幅信号で、右チャンネルオーディオ信号がゼロの第１のテスト信号と、逆に、右チャンネルオーディオ信号が大振幅信号で、左チャンネルオーディオ信号がゼロの第２のテスト信号とを、それぞれ所定時間分ずつ出力するようにするテスト信号を、音楽プレーヤ２００の音楽コンテンツ格納部に用意するようにしておくとよい。このテスト信号は、例えばインターネットを通じてパーソナルコンピュータで取得し、音楽プレーヤ２００に転送しておくようにしても良い。
【０１９３】
そして、ユーザは、音楽プレーヤ２００を係数および位相の設定モードにし、例えば最初は第１のテスト信号を再生する。そして、この第１のテスト信号が再生されている状態において、右チャンネルへの左チャンネルの信号の音漏れ量が最小となるように、係数１／ＭＬを設定する。このとき、乗算部３５Ｌに供給する係数は、乗算結果がオーバーフローしないような値とされる。
【０１９４】
そして、以上のようにして設定された係数１／ＭＬを係数レジスタ３８Ｌに格納する。また、係数１−１／ＭＬを計算して、その計算結果を係数レジスタ３６Ｒに格納する。
【０１９５】
次に、第１のテスト信号を引き続き再生し、右チャンネルへの左チャンネルの信号の音漏れ量が最小となるように、セレクタ３９Ｌへの選択制御信号ＳＥＬＬを調整する。そして、その調整結果の選択制御信号ＳＥＬＬを、セレクタ３９Ｌの選択制御信号ＳＥＬＬとして保持する。
【０１９６】
次に、再生するテスト信号を第２のテスト信号に変更して、以上と同様のことを右チャネルについて行う。すなわち、第２のテスト信号が再生されている状態において、左チャンネルへの右チャンネルの信号の音漏れ量が最小となるように、係数１／ＭＲを設定する。このとき、乗算部３５Ｒに供給する係数は、乗算結果がオーバーフローしないような値とされる。
【０１９７】
そして、以上のようにして設定された係数１／ＭＲを係数レジスタ３８Ｒに格納する。また、係数１−１／ＭＲを計算して、その計算結果を係数レジスタ３６Ｌに格納する。
【０１９８】
次に、第２のテスト信号を引き続き再生し、左チャンネルへの右チャンネルの信号の音漏れ量が最小となるように、セレクタ３９Ｒへの選択制御信号ＳＥＬＲを調整する。そして、その調整結果の選択制御信号ＳＥＬＲを、セレクタ３９Ｒの選択制御信号ＳＥＬＲとして保持する。
【０１９９】
なお、この音漏れ消去信号加算部２０７で音漏れ信号加算処理された結果の各チャンネルのオーディオデータＤＯＬおよびＤＯＲは、格納音楽データエンコード部２０７で音楽コンテンツ格納部２０２に格納する形式の音楽データにエンコードされた後、音楽コンテンツ格納部２０２に格納される。
【０２００】
図１８に、この実施形態における音楽プレーヤ２００における音楽データの格納処理例のフローチャートを示す。
【０２０１】
操作入力部２１を通じて、所定の音楽コンテンツの音楽データの取り込み指示がなされたことを受けたＣＰＵ２０３は、図１８の処理ルーチンを開始し、ユーザにより取り込みが指示された、ＵＳＢインタフェース２０５を通じて音楽コンテンツの音楽データを取り込む（ステップＳ４０１）。
【０２０２】
そして、ＣＰＵ２０３は、取り込んだ音楽データを音楽データデコード部２２に転送し、左右２チャンネルのデジタルオーディオ信号ＤＬ，ＤＲをデコードさせるようにする（ステップＳ４０２）。
【０２０３】
次に、ＣＰＵ２０３は、図示を省略する係数レジスタに格納している係数１／ＭＬ、１／ＭＲ、１−１／ＭＬ、１−１／ＭＲを読み出す（ステップＳ４０３）。そして、ＣＰＵ２０３は、音声データデコード部２２でデコードされた左右チャンネルのデジタルオーディオ信号ＤＬ，ＤＲを、図示を省略したレジスタに取り込んで、
ＤＯＬ＝ＤＬ×（１−１／ＭＲ）＋ＤＲ×１／ＭＲ
ＤＯＲ＝ＤＲ×（１−１／ＭＬ）＋ＤＬ×１／ＭＬ
・・・（式Ａ）
で表される積和演算処理を実行する（ステップＳ４０４）。
【０２０４】
次に、ＣＰＵ２０３は、ステップＳ４０４で求めたデジタル信号ＤＯＬおよびＤＯＲを、格納音声データエンコード部２０７に供給して、音楽コンテンツ格納部２０２に格納するためのエンコード処理を行わせる（ステップＳ４０５）。
【０２０５】
そして、格納音楽データエンコード部２０８から、エンコード処理終了のステータスを得るとＣＰＵ２０３は、エンコード処理された音楽データを、その音楽コンテンツの識別情報やタイトルなどの付随情報に対応させて、音楽コンテンツ格納部２０２に格納する（ステップＳ４０６）。
【０２０６】
以上で、この音楽データ格納の処理ルーチンを終了する。
【０２０７】
なお、この音楽プレーヤ２００の実施形態においても、音漏れ消去信号加算処理をした音楽コンテンツの音楽データと、音漏れ消去信号加算処理をしない同一音楽コンテンツの音楽データとを、前述のようなフラグと共に記憶しておき、例えば選択スイッチ操作などにより、３極端子２０１にヘッドフォン１００が接続されたときには、音漏れ消去信号加算処理をした音楽データを音楽コンテンツ格納部２０２から読み出して送出するようにし、また、３極端子２０１にチャンネル間音漏れが発生しないような装置が接続されたときには、音漏れ消去信号加算処理をしていない音楽データを音楽コンテンツ格納部２０２から読み出して送出するように構成しても良い。
【０２０８】
このようにすることにより、ヘッドフォンジャック２８にヘッドフォン１００の接続プラグ以外の接続プラグが接続されて、例えば、ヘッドジャック２８からのオーディオ信号出力を２個の外部スピーカで再生したり、ヘッドジャック２８からのオーディオ信号出力を他のオーディオ機器に送ったりする場合には、音漏れ消去信号が加算されていない元の左右チャンネルのオーディオ信号を出力することができる。
【０２０９】
［他の実施の形態または変形例］
上述の実施の形態は、左右２チャンネルのステレオオーディオ信号の場合を例に、音漏れ低減方法について説明したが、第１チャンネルオーディオ信号および第２チャンネルオーディオ信号は、ステレオオーディオ信号の左チャンネル信号と右チャンネル信号とに限られるものではないことは言うまでもない。
【０２１０】
また、オーディオ信号再生装置は、音楽プレーヤの場合としたが、音楽プレーヤに限らず、オーディオ信号出力端子が３極端子の構成を備えるものであれば、すべて、この発明が適用可能であることは言うまでもない。
【０２１１】
なお、上述の実施形態では、パーソナルコンピュータ３００に格納された音楽データはデータ圧縮されていると共に、音楽プレーヤ２００の音楽コンテンツ格納部に格納する音楽データのデータ圧縮方式と同じ圧縮方式であったので、データ圧縮したままの音楽データを音楽プレーヤ２００に供給するようにしたが、音楽プレーヤに格納する音楽データが、デジタルオーディオ信号（ＰＣＭオーディオ信号）である場合には、パーソナルコンピュータ３００から送出する音楽データは、圧縮を解凍（伸長デコード）して、音楽プレーヤに送出するようにすれば良い。
【０２１２】
また、パーソナルコンピュータ３００の音楽コンテンツ格納部３０１に格納されている音楽データのデータ圧縮方式と、音楽プレーヤ２００の音楽コンテンツ格納部２０２に格納される音楽データのデータ圧縮方式とが異なる場合には、パーソナルコンピュータ３００で、音楽プレーヤ２００でのデータ圧縮方式に送出する音楽データを再圧縮して送出するようにすれば良い。また、パーソナルコンピュータ３００で音楽データを再圧縮するのではなく、音楽プレーヤ２００で、受け取ったＰＣＭオーディオ信号を自装置のデータ圧縮方式に適合するように処理するようにしても勿論よい。
【０２１３】
また、上述のオーディオ信号格納送出装置の第１および第２の実施形態では、パーソナルコンピュータ３００は、ＵＳＢインタフェースなど、これに接続された音楽プレーヤ２００が何であるかを認識するものを用いて、接続されたオーディオ信号再生装置に対応して自動的に音漏れ消去信号加算処理をした音楽データを送出するか否かを決定するようにしたが、ユーザが選択指定するようにしても良い。
【図面の簡単な説明】
【０２１４】
【図１】この発明による音楽コンテンツ格納送出方法の第１の実施形態を説明するためのシステム構成図である。
【図２】この発明による音楽コンテンツ格納送出装置の第１の実施形態の構成例を示すブロック図である。
【図３】この発明による音楽コンテンツ格納送出装置の第１の実施形態の構成例における要部の構成例を説明するためのブロック図である。
【図４】この発明による音楽コンテンツ格納送出装置の第１の実施形態の構成例における要部の構成例を説明するためのブロック図である。
【図５】この発明による音楽コンテンツ格納送出装置の第１の実施形態の構成例における要部の構成例を説明するためのフローチャートを示す図である。
【図６】この発明による音楽コンテンツ格納送出装置の第１の実施形態における処理動作例を説明するためのフローチャートを示す図である。
【図７】この発明による音楽コンテンツ格納送出方法の第１の実施形態が適用されたシステムにおける音楽プレーヤの構成例を示すブロック図である。
【図８】この発明による音楽コンテンツ格納送出方法の第１の実施形態による音漏れ低減効果を説明するための等価的な回路接続図である。
【図９】この発明による音楽コンテンツ格納送出方法の第１の実施形態の要部を説明するために用いるフローチャートを示す図である。
【図１０】この発明による音楽コンテンツ格納送出方法の第１の実施形態の要部を説明するために用いるフローチャートを示す図である。
【図１１】この発明による音楽コンテンツ格納送出方法の第１の実施形態の要部を説明するために用いる図である。
【図１２】この発明による音楽コンテンツ格納送出方法の第１の実施形態の要部を説明するために用いる図である。
【図１３】この発明による音楽コンテンツ格納送出方法の第２の実施形態を説明するためのシステム構成図である。
【図１４】この発明による音楽コンテンツ格納送出装置の第２の実施形態の構成例における要部の構成例を説明するためのフローチャートを示す図である。
【図１５】この発明による音楽コンテンツ格納送出方法の第３の実施形態を説明するためのシステム構成図である。
【図１６】この発明による音楽コンテンツ格納送出方法の第３の実施形態に用いるオーディオ信号再生装置の構成例を示すブロック図である。
【図１７】図１６のオーディオ信号再生装置の構成例における要部の構成例を示すブロック図である。
【図１８】図１６のオーディオ信号再生装置の構成例における要部の処理動作を説明するためのフローチャートを示す図である。
【図１９】３極端子を備える装置を説明するための図である。
【図２０】３極端子を用いる場合におけるチャンネル間の音漏れを説明するための図である。
【図２１】チャンネル間の音漏れを低減するために４極端子を用いる装置を説明するための図である。
【図２２】４極端子を用いる場合におけるチャンネル間の音漏れ低減を説明するための図である。
【符号の説明】
【０２１５】
１００…ヘッドフォン、２００…音楽プレーヤ、２０１…ヘッドフォンジャック、２０２…音楽コンテンツ格納部、２０８…音漏れ消去信号加算部、２６Ｌ…左チャンネルオーディオ信号出力端子、２６Ｒ…右チャンネルオーディオ信号出力端子、２６Ｃ…共通接地端子、３００…パーソナルコンピュータ、３０１…音楽コンテンツ格納部、３０４…音漏れ消去信号加算部
【図１】
2007235670.tif 000003
【図２】
2007235670.tif 000004
【図３】
2007235670.tif 000005
【図４】
2007235670.tif 000006
【図５】
2007235670.tif 000007
【図６】
2007235670.tif 000008
【図７】
2007235670.tif 000009
【図８】
2007235670.tif 000010
【図９】
2007235670.tif 000011
【図１０】
2007235670.tif 000012
【図１１】
2007235670.tif 000013
【図１２】
2007235670.tif 000014
【図１３】
2007235670.tif 000015
【図１４】
2007235670.tif 000016
【図１５】
2007235670.tif 000017
【図１６】
2007235670.tif 000018
【図１７】
2007235670.tif 000019
【図１８】
2007235670.tif 000020
【図１９】
2007235670.tif 000021
【図２０】
2007235670.tif 000022
【図２１】
2007235670.tif 000023
【図２２】
2007235670.tif 000024